(57)【特許請求の範囲】
【請求項１】
通信システムにおけるデータ送信方法であって、
変調されたデータを生成するために送信されるデータを変調するステップと、
変調されたデータの復調のための基準信号を生成するステップと、
第１のシンボルインデックス又は第１のスロットインデックスの関数に基づいて第１のシンボル又は第１のスロットに使用されるリソースを選択するステップと、
第２のシンボルインデックス又は第２のスロットインデックスの関数に基づいて第２のシンボル又は第２のスロットに使用されるリソースを選択するステップと、
前記変調されたデータと基準信号を前記第１のシンボル又は第１のスロット及び前記第２のシンボル又は第２のスロットに使用されるリソースにそれぞれ適用するステップと、
前記第１のシンボル又は第１のスロット及び前記第２のシンボル又は第２のスロットのそれぞれで前記変調されたデータと基準信号を送信するステップと、
を有し、
前記リソースは、直交コード及びＺａｄｏｆｆ−Ｃｈｕシーケンスのサイクリックシフトを含み、
前記送信される変調されたデータは、肯定応答／否定応答データであり、
前記Ｚａｄｏｆｆ−Ｃｈｕシーケンスのサイクリックシフトは、シンボルインデックスに基づいてシンボルレベルごとに定義され、
前記直交コードは、スロットインデックスに基づいてスロットレベルごとに前記データと基準信号のためにそれぞれ定義され、
前記スロットは、複数のシンボルで構成され、前記基準信号は前記複数のシンボルのうち少なくとも中央シンボルに位置し、
前記第２のスロットに使用されるリソースは、第１のスロットインデックスに基づいて選択されることを特徴とするデータ送信方法。
【請求項２】
前記送信される変調されたデータがサービスグラント要請データであると、前記リソースは、基本シーケンスのサイクリックシフトであることを特徴とする請求項１に記載のデータ送信方法。
【請求項３】
前記送信される変調されたデータがチャネル品質指示子データであると、前記リソースは、基本シーケンスのサイクリックシフトであることを特徴とする請求項１に記載のデータ送信方法。
【請求項４】
前記第１のシンボル又は第１のスロットに使用されるリソースの選択及び前記第２のシンボル又は第２のスロットに使用されるリソースの選択は、対応するシンボルインデックス又はスロットインデックスに関連した全リソースの量に基づくことを特徴とする請求項１乃至３のいずれか一項に記載のデータ送信方法。
【請求項５】
全リソースは、チャネル品質指示子の送信及び肯定応答／否定応答の送信により共有され、前記全リソースは、チャネル品質指示子の送信のための部分及び肯定応答／否定応答の送信のための部分に区分されることを特徴とする請求項１乃至４のいずれか一項に記載のデータ送信方法。
【請求項６】
チャネル品質指示子の送信のためのリソース及び肯定応答／否定応答の送信のためのリソースは、それぞれ対応するシンボル又はスロットでチャネル品質指示子の送信のための部分及び肯定応答／否定応答の送信のための部分でそれぞれ選択されることを特徴とする請求項５に記載のデータ送信方法。
【請求項７】
通信システムにおけるデータ送信装置であって、
送信器チェーンを含み、
前記送信器チェーンは、
変調されたデータを生成するために送信されるデータを変調し、
変調されたデータの復調のための基準信号を生成し、
第１のシンボルインデックス又は第１のスロットインデックスの関数に基づいて第１のシンボル又は第１のスロットに使用されるリソースを選択し、
第２のシンボルインデックス又は第２のスロットインデックスの関数に基づいて第２のシンボル又は第２のスロットに使用されるリソースを選択し、
前記変調されたデータと基準信号を前記第１のシンボル又は第１のスロット及び前記第２のシンボル又は第２のスロットに使用されるリソースにそれぞれ適用し、
前記第１のシンボル又は第１のスロット及び前記第２のシンボル又は第２のスロットのそれぞれで前記変調されたデータと基準信号を送信するように備えられ、
前記リソースは、直交コード及びＺａｄｏｆｆ−Ｃｈｕシーケンスのサイクリックシフトを含み、
前記送信される変調されたデータは、肯定応答／否定応答データであり、
前記Ｚａｄｏｆｆ−Ｃｈｕシーケンスのサイクリックシフトは、シンボルインデックスに基づいてシンボルレベルごとに定義され、
前記直交コードは、スロットインデックスに基づいてスロットレベルごとに前記データと基準信号のためにそれぞれ定義され、
前記スロットは、複数のシンボルで構成され、前記基準信号は前記複数のシンボルのうち少なくとも中央シンボルに位置し、
前記第２のスロットに使用されるリソースは、第１のスロットインデックスに基づいて選択されることを特徴とするデータ送信装置。
【請求項８】
前記送信される変調されたデータがサービスグラント要請データであると、前記リソースは、基本シーケンスのサイクリックシフトであることを特徴とする請求項７に記載のデータ送信装置。
【請求項９】
前記送信される変調されたデータがチャネル品質指示子データであると、前記リソースは、基本シーケンスのサイクリックシフトであることを特徴とする請求項７に記載のデータ送信装置。
【請求項１０】
前記第１のシンボル又は第１のスロットに使用されるリソースの選択及び前記第２のシンボル又は第２のスロットに使用されるリソースの選択は、対応するシンボルインデックス又はスロットインデックスに関連した全リソースの量に基づくことを特徴とする請求項７乃至９のいずれか一項に記載のデータ送信装置。
【請求項１１】
全リソースは、チャネル品質指示子の送信及び肯定応答／否定応答の送信により共有され、前記全リソースは、チャネル品質指示子の送信のための部分及び肯定応答／否定応答の送信のための部分に区分されることを特徴とする請求項７乃至１０のいずれか一項に記載のデータ送信装置。
【請求項１２】
チャネル品質指示子の送信のためのリソース及び肯定応答／否定応答の送信のためのリソースは、それぞれ対応するシンボル又はスロットでチャネル品質指示子の送信のための部分及び肯定応答／否定応答の送信のための部分でそれぞれ選択されることを特徴とする請求項１１に記載のデータ送信装置。
【請求項１３】
通信システムにおけるデータ受信方法であって、
第１のシンボルインデックス又は第１のスロットインデックスの関数に基づく第１のシンボル又は第１のスロットにリソースに適用された変調されたデータ及び基準信号を受信するステップと、
第２のシンボルインデックス又は第２のスロットインデックスの関数に基づく第２のシンボル又は第２のスロットにリソースに適用された変調されたデータ及び基準信号を受信するステップと、
を有し、
前記リソースは、直交コード及びＺａｄｏｆｆ−Ｃｈｕシーケンスのサイクリックシフトを含み、
前記受信される変調されたデータは、肯定応答／否定応答データであり、
前記Ｚａｄｏｆｆ−Ｃｈｕシーケンスのサイクリックシフトは、シンボルインデックスに基づいてシンボルレベルごとに定義され、
前記直交コードは、スロットインデックスに基づいてスロットレベルごとに前記データと基準信号のためにそれぞれ定義され、
前記スロットは、複数のシンボルで構成され、前記基準信号は前記複数のシンボルのうち少なくとも中央シンボルに位置し、
前記第２のスロットに使用されるリソースは、第１のスロットインデックスに基づいて選択されることを特徴とするデータ受信方法。
【請求項１４】
前記受信される変調されたデータがサービスグラント要請データであると、前記リソースは、基本シーケンスのサイクリックシフトであることを特徴とする請求項１３に記載のデータ受信方法。
【請求項１５】
前記受信されたデータがチャネル品質指示子データであると、前記リソースは基本シーケンスのサイクリックシフトであることを特徴とする請求項１３に記載のデータ受信方法。
【請求項１６】
前記第１のシンボル又は第１のスロットに使用されたリソース及び前記第２のシンボル又は第２のスロットに使用されたリソースは、対応するシンボルインデックス又はスロットインデックスに関連した全リソースの量に基づいて選択されることを特徴とする請求項１３乃至１５のいずれか一項に記載のデータ受信方法。
【請求項１７】
全リソースは、チャネル品質指示子の送信及び肯定応答／否定応答の送信により共有され、前記全リソースは、チャネル品質指示子の送信のための部分及び肯定応答／否定応答の送信のための部分に区分されることを特徴とする請求項１３乃至１６のいずれか一項に記載のデータ受信方法。
【請求項１８】
チャネル品質指示子の送信のためのリソース及び肯定応答／否定応答の送信のためのリソースは、それぞれ対応するシンボル又はスロットでチャネル品質指示子の送信のための部分及び肯定応答／否定応答の送信のための部分でそれぞれ選択されることを特徴とする請求項１７に記載のデータ受信方法。
【請求項１９】
通信システムにおけるデータ受信装置であって、
受信器チェーンを含み、
前記受信器チェーンは、
第１のシンボルインデックス又は第１のスロットインデックスの関数に基づく第１のシンボル又は第１のスロットにリソースが適用された変調されたデータ及び基準信号を受信し、
第２のシンボルインデックス又は第２のスロットインデックスの関数に基づく第２のシンボル又は第２のスロットにリソースが適用される変調されたデータ及び基準信号を受信し、
前記リソースは、直交コード及びＺａｄｏｆｆ−Ｃｈｕシーケンスのサイクリックシフトを含み、
前記受信される変調されたデータは、肯定応答／否定応答データであり、
前記Ｚａｄｏｆｆ−Ｃｈｕシーケンスのサイクリックシフトは、シンボルインデックスに基づいてシンボルレベルごとに定義され、
前記直交コードは、スロットインデックスに基づいてスロットレベルごとに前記データと基準信号のためにそれぞれ定義され、
前記スロットは、複数のシンボルで構成され、前記基準信号は前記複数のシンボルのうち少なくとも中央シンボルに位置し、
前記第２のスロットに使用されるリソースは、第１のスロットインデックスに基づいて選択されることを特徴とするデータ受信装置。
【請求項２０】
前記受信される変調されたデータがサービスグラント要請データであると、前記リソースは、基本シーケンスのサイクリックシフトであることを特徴とする請求項１９に記載のデータ受信装置。
【請求項２１】
前記受信されたデータがチャネル品質指示子データであると、前記リソースは基本シーケンスのサイクリックシフトであることを特徴とする請求項１９に記載のデータ受信装置。
【請求項２２】
前記第１のシンボル又は第１のスロットに使用された第１のリソース及び前記第２のシンボル又は第２のスロットに使用された第２のリソースは、対応するシンボルインデックス又はスロットインデックスに関連した全リソースの量に基づいて選択されることを特徴とする請求項１９乃至２１のいずれか一項に記載のデータ受信装置。
【請求項２３】
全リソースは、チャネル品質指示子の送信及び肯定応答／否定応答の送信により共有され、前記全リソースは、チャネル品質指示子の送信のための部分及び肯定応答／否定応答の送信のための部分に区分されることを特徴とする請求項１９乃至２２のいずれか一項に記載のデータ受信装置。
【請求項２４】
チャネル品質指示子の送信のためのリソース及び肯定応答／否定応答の送信のためのリソースは、それぞれ対応するシンボル又はスロットでチャネル品質指示子の送信のための部分及び肯定応答／否定応答の送信のための部分でそれぞれ選択されることを特徴とする請求項２３に記載のデータ受信装置。
【発明の詳細な説明】
【技術分野】
【０００１】
本発明は、無線通信システムにおける送信リソースの再マッピング及び再グルーピングのための方法及び装置に関する。
【背景技術】
【０００２】
テレコミュニケーションは、送信器と受信器との間の通信のために長距離にわたるデータの送信を可能にする。データは、通常、電波により運搬され、限定された送信リソースを用いて送信される。すなわち、電波は、限定された周波数範囲を用いて一定の期間にわたって送信される。
【０００３】
第３世代パートナーシッププロジェクトロングタームエボルーション（３ＧＰＰ ＬＴＥ）システムにおいて、アップリンク制御チャネル（ＰＵＣＣＨ）で使用される送信リソースの１つのタイプは、各ＯＦＤＭシンボルに対するサイクリックシフト（ＣＳ）として知られている。例えば、ＰＵＣＣＨは、１つのリソースブロック（ＲＢ）で１２個のサブキャリアを占有することにより、１つのＲＢで１２個のＣＳリソースを占有する。
【０００４】
また、アップリンク（ＵＬ）肯定応答チャネル及び基準信号（ＲＳ）の送信ブロックに対する現在の動作仮定（current working assumption）に従って、肯定応答／否定応答（ＡＣＫ／ＮＡＣＫ）信号及びＡＣＫ／ＮＡＣＫ復調のためのＵＬ ＲＳは、基本シーケンスのＣＳ及び直交カバー（ＯＣ）により構成されるコードチャネル上で多重化される。基本シーケンスの一例としてＺＣ（Zadoff-Chu）シーケンスを挙げることができる。
【０００５】
システム設計の重要な一面は、シンボル、スロット、又はサブフレームレベルでのリソース再マッピングである。従来、参考文献［５］に開示された方式に基づいてテーブルを再マッピングする方法のような幾つかの方法が提案されたが、このような方式に基づく再マッピングテーブルは、再マッピングテーブルの記憶装置が要求されるため好ましくない。したがって、本発明では、リソース再マッピングのための効率的でありかつ一般的な方法を見つけようとする。
【発明の概要】
【発明が解決しようとする課題】
【０００６】
したがって、本発明は、無線通信のための改善した方法及び装置を提供することにある。
【０００７】
本発明の他の目的は、無線通信システムにおいて、送信リソースの効率的な再マッピング及び再グルーピングのための改善した方法及び装置を提供することにある。
【課題を解決するための手段】
【０００８】
上記のような目的を達成するために、本発明の一態様によれば、特定のパラメータｎに基づいて第１のタイムスロットのＮ個のリソース組合せと第２のタイムスロットのＮ個のリソース組合せとの間にグローバルリソースマッピング方式が設定される。上記マッピング方式は、ｊ＝ｇ（ｉ，ｎ）により設定され、ここで、ｉは、上記第１のタイムスロットのリソース組合せのインデックスを示し、ｉ＝１，２，．．．，Ｎであり、ｊは、上記第２のタイムスロットのリソース組合せのインデックスを示し、ｊ＝１，２，．．．，Ｎであり、ｇ（ａ，ｂ）は、擬似ランダム関数である。
【０００９】
上記擬似ランダム関数は、ｊ＝ｇ（ｉ，ｎ）＝ＰＧ（ｉ，ｎ，Ｎ）により設定されるガロアフィールド基盤の置換関数であってもよく、ここで、ｎは、整数のセット｛１，２，．．．，Ｎ｝から選択される。
【００１０】
あるいは、上記擬似ランダム関数は、ｊ＝ｇ（ｉ，ｎ）＝ＰＲＢＯ（ｍｏｄ（ｉ＋ｎ−１，Ｎ）＋１，Ｎにより設定されるプルーンドビットリバーサルオーダーリング（ＰＢＲＯ）関数であってもよい。
【００１１】
上記パラメータｎは、上記通信ネットワークのすべてのセルに対して同一であってもよい。
【００１２】
あるいは、上記パラメータｎは、上記通信ネットワークにおける各セルに上記セルの識別子に基づいて割り当てられてもよい。
【００１３】
上記リソース組合せの各々は、複数の直交カバーから選択された直交カバーと複数のサイクリックシフトから選択された基本シーケンスのサイクリックシフトとを具備する。セルでサブフレームの変調シンボル上の少なくとも１つのリソース組合せ内の上記サイクリックシフトのインデックスをｈ＿ｓｙｍ（ｃ＿ｉｄ，ｓ＿ｉｄ，ｌ＿ｉｄ）で特定される量だけシフトするためにセル特定シンボルレベルサイクリックシフトホッピングパターンが設定され得る。ｉ番目のリソース組合せ内のシフト前のインデックスｖｉを有するサイクリックシフトのシフト後のインデックスｖｉ’は、ｖｉ’＝ｃｙｃｌｉｃ＿ｓｈｉｆｔ（ｖｉ，ｈ＿ｓｙｍ（ｃ＿ｉｄ，ｓ＿ｉｄ，ｌ＿ｉｄ），Ｋ）により設定され、ここで、ｃ＿ｉｄは、セルの識別子を示し、ｓ＿ｉｄは、サブフレームの識別子を示し、ｌ＿ｉｄは、変調シンボルの識別子を示し、Ｋは、上記複数のサイクリックシフトの総個数を示し、上記複数のサイクリックシフトが１，２，．．．，Ｎとしてインデキシングされる際に、ｃｙｃｌｉｃ＿ｓｈｉｆｔ（ａ，ｂ，Ｎ）＝ｍｏｄ（ａ＋ｂ−１，Ｎ）＋１である。
【００１４】
上記関数ｈ＿ｓｙｍ（ｃ＿ｉｄ，ｓ＿ｉｄ，ｌ＿ｉｄ）は、ｈ＿ｓｙｍ（ｃ＿ｉｄ，ｓ＿ｉｄ，ｌ＿ｉｄ）＝ＰＧ（ｘ（ｌ＿ｉｄ，Ｋ），ｒ（ｃ＿ｉｄ，ｎ，Ｋ），Ｋ）により設定されるガロアフィールド基盤の置換関数及びｈ＿ｓｙｍ（ｃ＿ｉｄ，ｓ＿ｉｄ，ｌ＿ｉｄ）＝ＰＢＲＯ（ｍｏｄ（ｌ＿ｉｄ＋ｃ＿ｉｄ＋ｎ−１，Ｋ）＋１，Ｋ）により設定されるＰＢＲＯ関数の中の１つであり得、ここで、ｘ（ｌ＿ｉｄ，Ｋ）＝ｍｏｄ（ｌ＿ｉｄ−１，Ｋ）＋１であり、ｒ（ｃ＿ｉｄ，ｎ，Ｋ）＝ｍｏｄ（ｃ＿ｉｄ＋ｎ−１，Ｋ）＋１である。
【００１５】
あるいは、セルでタイムスロットの少なくとも１つのリソース組合せ内の上記サイクリックシフトのインデックスをｈ＿ｓｌｏｔ（ｃ＿ｉｄ，ｓｌ＿ｉｄ）で特定される量だけシフトするためにセル特定スロットレベルサイクリックシフトホッピングパターンが設定され得る。ｉ番目のリソース組合せ内のシフト前のインデックスｖｉを有するサイクリックシフトのシフト後のインデックスｖｉ’は、ｖｉ’＝ｃｙｃｌｉｃ＿ｓｈｉｆｔ（ｖｉ，ｈ＿ｓｌｏｔ（ｃ＿ｉｄ，ｓｌ＿ｉｄ），Ｋ）により設定され、ここで、ｃ＿ｉｄは、セルの識別子を示し、ｓｌ＿ｉｄは、タイムスロットの識別子を示し、Ｋは、上記複数のサイクリックシフトの総個数を示し、上記複数のサイクリックシフトが１，２，．．．，Ｎとしてインデキシングされる際に、ｃｙｃｌｉｃ＿ｓｈｉｆｔ（ａ，ｂ，Ｎ）＝ｍｏｄ（ａ＋ｂ−１，Ｎ）＋１である。上記関数ｈ＿ｓｌｏｔ（ｃ＿ｉｄ，ｓｌ＿ｉｄ）は、ｈ＿ｓｌｏｔ（ｃ＿ｉｄ，ｓｌ＿ｉｄ）＝ＰＧ（ｓｌ＿ｉｄ，ｒ（ｃ＿ｉｄ，ｎ，Ｋ），Ｋ）により設定されるガロアフィールド基盤の置換関数及びｈ＿ｓｌｏｔ（ｃ＿ｉｄ，ｓｌ＿ｉｄ）＝ＰＢＲＯ（ｍｏｄ（ｓｌ＿ｉｄ＋ｃ＿ｉｄ＋ｎ−１，Ｋ）＋１，Ｋ）により設定されるＰＢＲＯ関数の中の１つであり、ここで、ｒ（ｃ＿ｉｄ，ｎ，Ｋ）＝ｍｏｄ（ｃ＿ｉｄ＋ｎ−１，Ｋ）＋１である。
【００１６】
本発明の他の態様によれば、まず、複数のタイムスロットのそれぞれのＮ個のリソース組合せがＫ個のサブセットに分割され、ここで、ｋ番目のサブセットは、Ｎｋ個のリソース組合せを有し、ｋ＝１，２，．．．，Ｋである。特定のパラメータベクトル
【００１７】
【数１】
0005513592.tif 000002
【００１８】
に基づいて、第１のタイムスロットの上記サブセット内のリソース組合せと第２のタイムスロットの上記サブセット内のリソース組合せとの間にイントラサブセットリソースマッピング方式が設定される。上記マッピング方式は、
【００１９】
【数２】
0005513592.tif 000003
【００２０】
（ｋ＝１，２，．．．，Ｋ）により設定され、ここで、ｎｋは、ｋ番目のサブセットに対応し、ｉ＝ｉｋ，ｃであり、ｉｋ，ｃは、上記第１のタイムスロットの上記Ｎ個のリソース組合せ内のリソース組合せのインデックスを示し、ｋは、ｉｋ，ｃ番目のリソース組合せが位置したサブセットのインデックスを示し、ｃは、ｋ番目のサブセット内のｉｋ，ｃ番目のリソース組合せのインデックスを示し、ｉｋ，ｄは、上記第２のタイムスロットの上記Ｎ個のリソース組合せ内のリソース組合せのインデックスを示し、ｋは、ｉｋ，ｄ番目のリソース組合せが位置したサブセットのインデックスを示し、ｄは、ｋ番目のサブセット内のｉｋ，ｄ番目のリソース組合せのインデックスを示し、ｉｋ，ｃ＝（ｋ−１）×Ｎｋ＋ｃであり、ｉｋ，ｄ＝（ｋ−１）×Ｎｋ＋ｄであり、ｇ（ａ，ｂ）は、擬似ランダム関数である。
【００２１】
本発明のさらに他の態様によれば、まず、複数のタイムスロットのそれぞれのＮ個のリソース組合せがＫ個のサブセットに分割され、ここで、ｋ番目のサブセットは、Ｎｋ個のリソース組合せを有し、ｋ＝１，２，．．．，Ｋであり、Ｎ１＝Ｎ２＝・・・＝ＮＫである。インターリービングパラメータＰＧ［ｓ１，ｓ２，・・・，ｓＫ］に従って少なくとも１つのタイムスロットでインターサブセットインターリービング方式が設定される。上記インターサブセットインターリービング方式は、ｊ＝ｗ（ｉ，ＰＧ［ｓ１，ｓ２，・・・，ｓＫ］）（ｋ＝１，２，・・・，Ｋ）により設定され、ｗ（ｉ，ＰＧ［ｓ１，ｓ２，・・・，ｓＫ］）は、上記インターリービングパラメータＰＧ［ｓ１，ｓ２，・・・，ｓＫ］に従ってインターリービング後のタイムスロットのｉ番目のリソース組合せを示し、上記インターリービングパラメータＰＧ［ｓ１，ｓ２，・・・，ｓＫ］は、インターリービング前のインデックスｓｋを有するサブセットがインターリービング後のインデックスｋを有することを示し、１≦ｓ１，・・・，ｓＫ ≦Ｋである
【００２２】
本発明のさらなる他の態様によれば、特定のパラメータｎに基づいて送信チャネルでの第１の変調シンボルのＭ個のサイクリックシフトと上記送信チャネルでの第２の変調シンボルのＭ個のサイクリックシフトとの間にシンボルレベルサイクリックシフトマッピング方式が設定される。上記第１の変調シンボルは、識別番号１を有し、上記第２の変調シンボルは、１より大きい識別番号を有する。上記シンボルレベルサイクリックシフトマッピング方式は、ｍ’＝ｔ（ｍ，ｌ＿ｉｄ，ｎ）（ｌ＿ｉｄ＞１）により設定され、ここで、ｍは、上記第１の変調シンボル内のサイクリックシフトのインデックスを示し、ｍ＝１，２，．．．，Ｍであり、ｍ’は、上記第２の変調シンボル内のサイクリックシフトのインデックスを示し、ｍ’＝１，２，．．．Ｍであり、ｌ＿ｉｄは、上記第２の変調シンボルの識別番号を示し、ｔ（ａ，ｂ，ｃ）は、擬似ランダム関数である。
【００２３】
本発明のさらなる他の１つの態様によれば、特定のパラメータｎに基づいて送信チャネルでの第１のタイムスロットのＭ個のサイクリックシフトと上記送信チャネルでの第２のタイムスロットのＭ個のサイクリックシフトとの間にスロットレベルサイクリックシフトマッピング方式が設定される。上記スロットレベルサイクリックシフトマッピング方式は、ｍ’＝ｇ（ｍ，ｎ）により設定され、ここで、ｍは、上記第１のタイムスロットのサイクリックシフトのインデックスを示し、ｍ＝１，２，．．．，Ｍであり、ｍ’は、上記第２のタイムスロットのサイクリックシフトのインデックスを示し、ｍ’＝１，２，．．．Ｍであり、ｇ（ａ，ｂ）は、擬似ランダム関数である。
【００２４】
本発明のさらにまた他の態様によれば、特定のパラメータｎに基づいて送信チャネルでの第１のサブフレームのＺ個の基本シーケンスと上記送信チャネルでの第２のサブフレームのＺ個の基本シーケンスとの間にサブフレームレベル基本シーケンスマッピング方式が設定される。上記第１のサブフレームは、識別番号１を有し、上記第２のサブフレームは、１より大きい識別番号を有する。上記サブフレームレベル基本シーケンスマッピング方式は、ｚ’＝ｓ（ｚ，ｓ＿ｉｄ，ｎ）（ｓ＿ｉｄ＞１）により設定され、ここで、ｚは、上記第１のサブフレームの基本シーケンスのインデックスを示し、ｚ＝１，２，．．．，Ｚであり、ｚ’は、上記第２のサブフレームの基本シーケンスのインデックスを示し、ｚ’＝１，２，．．．Ｚであり、ｓ＿ｉｄは、上記第２のサブフレームの識別番号を示し、ｓ（ａ，ｂ，ｃ）は、擬似ランダム関数である。
【００２５】
本発明のさらにまた他の態様によれば、特定のパラメータｎに基づいて第１のタイムスロットのＺ個の基本シーケンスと第２のタイムスロットのＺ個の基本シーケンスとの間にスロットレベル基本シーケンスマッピング方式が設定される。上記第１のタイムスロットは、識別番号１を有し、上記第２のタイムスロットは、１より大きい識別番号を有する。上記タイムスロットレベル基本シーケンスマッピング方式は、ｚ’＝ｓ（ｚ，ｓｌ＿ｉｄ，ｎ）（ｓｌ＿ｉｄ＞１）により設定され、ここで、ｚは、上記第１のタイムスロットの基本シーケンスのインデックスを示し、ｚ＝１，２，．．．，Ｚであり、ｚ’は、上記第２のタイムスロットの基本シーケンスのインデックスを示し、ｚ’＝１，２，．．．Ｚであり、ｓｌ＿ｉｄは、上記第２のタイムスロットの識別番号を示し、ｓ（ａ，ｂ，ｃ）は、擬似ランダム関数である。
【図面の簡単な説明】
【００２６】
【図１】本発明の原理の実施のために適合した直交周波数分割多重化（ＯＦＤＭ）送受信器チェーンを示す図である。
【図２】１つのリソースブロック（ＲＢ）内のユーザ装置（ＵＥ）の６つのユニットを多重化する一例を概略的に示す図である。
【図３】アップリンクＡＣＫ及び基準信号チャネルに対する現在の動作仮定を概略的に示す図である。
【発明を実施するための形態】
【００２７】
本発明とそれによって存在するより完全な理解と、それに従う多くの利点のより完全な理解は容易に明らかになり、添付された図面との結合を考慮すれば、後述する詳細な説明を参照してよりよく理解することができる。図面中、同一の参照符号は、同一であるか又は類似した構成要素を示す。
【００２８】
本発明は、下記の文献を参考にしている。
［１］３ＧＰＰ ＲＡＮ１＃５０ Ｃｈａｉｒｍａｎ’ｓ Ｎｏｔｅｓ（２００７年８月，ギリシャのアテネ）
［２］Ｒ１−０７３５４１，“UL ACK/NACK Structure”，Ｓａｍｓｕｎｇ，ＲＡＮ１＃５０（２００７年８月，ギリシャのアテネ）
［３］Ｒ１−０７３５６４，“Selection of Orthogonal Cover and Cyclic Shift for High Speed UL ACK Channels”，三星，ＲＡＮ１＃５０（２００７年８月，ギリシャのアテネ）
［４］Ｒ１−０７２２２５，“CCE to RE mapping”，三星，ＲＡＮ１＃４９（２００７年５月，神戸）
［５］Ｒ１−０７３４１２，“Randomization of intra-cell interference in PUCCH”，ＥＴＲＩ，ＲＡＮ１＃５０（２００７年８月，ギリシャのアテネ）
［６］Ｒ１−０７３４１３，“Sequence allocation and hopping for uplink ACK/NACK channels”，ＥＴＲＩ，ＲＡＮ１＃５０（２００７年８月，ギリシャのアテネ）
［７］Ｒ１−０７３６６１，“Signaling of implicit ACK/NACK resources”，Ｎｏｋｉａ Ｓｉｅｍｅｎｓ，Ｎｏｋｉａ，ＲＡＮ１＃５０（２００７年８月，ギリシャのアテネ）
［８］Ｒ１−０８０９８３，“Way forward on the Cyclic Shift Hopping for PUCCH”，パナソニック，三星，ＥＴＲＩ，ＲＡＮ１＃５２（２００８年２月，イタリアのソレント）
［９］３ＧＰＰ ＴＳ３６．２１１，ｖｅｒｓｉｏｎ８．３．０（２００８年５月）
【００２９】
図１は、直交周波数分割多重化（Orthogonal Frequency Division Multiplexing：以下、“ＯＦＤＭ”と称する。）送受信器チェーンを示す。ＯＦＤＭ技術を使用する通信システムにおいて、送信器チェーン１１０において、制御信号又はデータ１１１は、変調器１１２により一連の変調シンボルに変調された後に、シリアル／パラレル（Serial/Parallel：以下、“Ｓ／Ｐ”と称する。）変換部１１３によりシリアルからパラレルに変換される。逆高速フーリエ変換（Inverse Fast Fourier Transform：ＩＦＦＴ）部１１４は、周波数領域から時間領域への信号を複数のＯＦＤＭシンボルに変換するのに使用される。サイクリックプレフィックス（ＣＰ）又はゼロプレフィックス（ＺＰ）は、多重経路フェージングによる影響を避けるか又は緩和させるためにＣＰ挿入部１１６により各ＯＦＤＭシンボルに付加される。したがって、この信号は、アンテナ（図示せず）のような送信器（Ｔｘ）フロントエンド処理部１１７により送信されるか、又は固定ワイヤ又はケーブルにより送信される。受信器チェーン１２０において、完璧な時間及び周波数同期化がなされたという仮定の下に、受信器（Ｒｘ）フロントエンド処理部１２１により受信された信号は、ＣＰ除去部１２２により処理される。高速フーリエ変換（ＦＦＴ）部１２４は、さらなる処理のために受信された信号を時間領域から周波数領域に変換する。
【００３０】
ＯＦＤＭシステムの全帯域幅は、サブキャリアと呼ばれる狭帯域周波数単位に分割される。サブキャリアの個数は、このシステムで使用されるＦＦＴ／ＩＦＦＴサイズと同一である。一般に、周波数スペクトルのエッジにある一部のサブキャリアがガードサブキャリアとして予備（reserved）されるため、データに使用されるサブキャリアの個数は、Ｎよりは小さい。一般的には、ガードサブキャリアを介しては情報が送信されない。
【００３１】
第３世代パートナーシッププロジェクト（３ＧＰＰ）ロングタームエボルーション（ＬＴＥ）標準のアップリンク（ＵＬ）では、アップリンク制御チャネル（ＰＵＣＣＨ）で使用されるリソースの１つのタイプとして各ＯＦＤＭシンボルに対するＣＳが知られている。例えば、ＰＵＣＣＨは、１つのリソースブロック（ＲＢ）で１２個のサブキャリアを占有し、したがって、１つのＲＢで１２個のサイクリックシフト（ＣＳ）リソースを占有する。１つのＲＢでユーザ装置（ＵＥ）の６つのユニットを多重化する一例を図２に示す。１２個のＣＳの中で６つだけが本例で使用されていることに留意しなければならない。
【００３２】
図３は、ＵＬ肯定応答（ＡＣＫ）チャネル及び基準信号（ＲＳ）の送信ブロックに対する現在の動作仮定を示す。ＡＣＫ／ＮＡＣＫ信号及びＡＣＫ／ＮＡＣＫ復調のためのＵＬ ＲＳは、基本シーケンスのサイクリックシフト（ＣＳ）及び直交カバー（ＯＣ）により構成されるコードチャネルを介して多重化される。基本シーケンスの一例としてＺＣ（Zadoff-Chu）シーケンスを挙げることができる。
【００３３】
システム設計の重要な一面は、シンボル、スロット、又はサブフレームレベルでのリソース再マッピングである。従来では、参考文献［５］に開示された方式に基づいてテーブルを再マッピングする方法のような幾つかの方法が提案されたが、この方式に基づく再マッピングテーブルは、再マッピングテーブルの記憶空間が要求されるため好ましくない。したがって、本発明では、リソース再マッピングのための効率的でありかつ一般的な方法を見つけようとする。
【００３４】
本発明において、まず、新たな置換（permutation）アルゴリズムを提案した後に、このようなアルゴリズム及び公知のプルーンドビットリバーサルオーダーリング（Pruned Bit Reversal Ordering：以下、“ＰＢＲＯ”と称する。）アルゴリズムをスロット又はシンボルレベル直交カバー（ＯＣ）／サイクリックシフト（ＣＳ）再マッピング、セル特定スロット及びシンボルレベルＣＳホッピングパターンの生成、及びサブフレーム及びスロットレベル基本シーケンスホッピングパターンの生成を含む様々なリソース再マッピング／再グルーピング問題に適用することを提案する。
【００３５】
また、ＰＢＲＯ（ＰＢＲＩとも知られている。ここで、“Ｉ”は、インターリービングを示す。）は、公知の方法であり、参考文献［４］に開示された制御チャネルエレメント−リソースエレメント（ＣＣＥ−ＲＥ）マッピングのように様々な用途に使用されたことに注目する。ＰＢＲＯ方法は、サイズＭのシーケンス｛１，２，．．．，Ｍ｝の置換ｙ＝ＰＢＲＯ（ｉ，Ｍ）を生成し、ここで、ｙは、入力値ｉに対応する出力値である。ＰＢＲＯは、次の通りに定義される。
【００３６】
１．ｉ＝ｉ−１とし、ｉは、シーケンス｛０，１，．．．，Ｍ−１｝に属していると仮定する。ＰＢＲＯパラメータｎを決定する。ここで、ｎは、Ｍ≦２ｎである最も小さい整数である。
２．カウンターｉ及びｊを０に初期化する。
３．ｎビット２進表示を用いてｘをｊのビット反転値として定義する。例えば、ｎ＝４であり、ｊ＝３であれば、ｘ＝１２である。
４．ｘ＜Ｍであれば、ＰＢＲＯ（ｉ，Ｍ）をｘに設定し、ｉを１だけ増加させる。
５．カウンターｊを増加させる。
６．ｉ＜Ｍであれば、ステップ３に進む。そうでなければ、ステップ７に進む。
７．ｊ＝ｊ＋１とし、ｊは、セット｛１，２，．．．，Ｍ｝に属している。
【００３７】
本発明の側面、特徴、及び長所は、本発明を実行するための最善のモードを含む特定の実施形態及び実現を例示することにより、下記の詳細な説明から容易に明白になる。また、本発明は、その他の異なる実施形態も可能であり、本発明の細部事項は、本発明の思想及び範囲を外れないことなく様々であり明白な側面で修正されることができる。したがって、図面及び説明は、本来例示的なものとして見なされ、限定的なものとして見なされない。本発明は、添付の図面で限定的なものでない、例として図示される。
【００３８】
１．提案された置換アルゴリズム
本発明の原理による第１の実施形態において、ガロアフィールド（Galois field：以下、“ＧＦ”と称する。）演算に基づくリソース置換関数を提案する。Ｎを置き換えられるリソースの総数とすると、置換関数の演算は、次の通りである。
【００３９】
【数３】
0005513592.tif 000004
【００４０】
ここで、ｉ＝１，．．．，Ｎは、入力リソースインデックスであり、ｊ＝１，．．．，Ｎは、出力リソースインデックスであり、異なるｎは、異なる置き換えられた出力を提供するので、ｎ＝１，．．．，Ｎは、置換シーケンスインデックスである。
【００４１】
まず、ＮがＮ＝ｐｍ−１（ここで、ｐは、素数であり、ｍは、正の整数である）を満足する整数である場合を考える。この場合に、ガロアフィールドＮ＋１が存在し、これをＧＦ（Ｎ＋１）と称する。また、このガロアフィールドの原始要素（primitive element）を発見することができ、この原始要素をαとし、αは、
【００４２】
【数４】
0005513592.tif 000005
【００４３】
を満足する整数である。また、ＧＦ（Ｎ＋１）のＮ個の０でない要素のすべては、αの指数として表現されることができ、又は言い換えれば、シーケンスα０，α１，．．．，αＮ−１は、ＧＦ（Ｎ＋１）のＮ個の０でない要素のすべてを含む。したがって、任意の入力リソース数ｉは、任意の整数ｋが０≦ｋ≦Ｎ−１である場合に、原始要素ｉ＝αｋの累乗（power）として表現されることができる。この表示を使用すると、リソース置換関数ＰＧ（ｉ，ｎ，Ｎ）の出力値は、次の通りである。
【００４４】
【数５】
0005513592.tif 000006
【００４５】
ここで、ｍｏｄ（ａ，ｂ）は、２個の整数ａ及びｂに適用されるモジュラー演算（modular operation）である。他の同様の置換関数は、次の通りである。
【００４６】
【数６】
0005513592.tif 000007
【００４７】
上記のような数式において、ｊの自然数を探し出すために有限フィールド計算を用いることができることに留意しなければならない。
【００４８】
一方、ＮがＮ＝ｐ１−１（ｐは、素数）を満足する整数である特別な場合を考慮する。この場合に、ガロアフィールドＮ＋１、すなわち、ＧＦ（Ｎ＋１）も存在し、これは、グラウンドガロアフィールドである。ここで、出力置換リソースを探し出すさらに簡素な方式を提案する。
【００４９】
【数７】
0005513592.tif 000008
【００５０】
さらに、ＮがＮ＝ｐｍ−１（ｐは、素数、ｍは、正の整数）を満足しない場合に、ＰＧ，４ａ（ｉ，ｎ，Ｎ）で示す次のようなプルーンド（Pruned）ＧＦフィールド基盤方式を提案する。
【００５１】
ステップ１：最も小さい整数Ｍ＞Ｎ（Ｍは、Ｍ＝ｐｍ−１を満足し、ｐは、素数であり、ｍは、正の整数である）を探す。ガロアフィールドＧＦ（Ｍ＋１）を構成し、ＧＦ（Ｍ＋１）の原始要素αを探す。変数ｕ＝１及びｖ＝１を設定する。
【００５２】
ステップ２：ｗを次のような方式で探す。Ｍ＝ｐｍ−１であれば（ｐは、素数、ｍ＞１）、ｗは、ｗ＝ＰＧ，１（ｖ，ｎ，Ｍ）又はｗ＝ＰＧ，２（ｖ，ｎ，Ｍ）により生成されることができる。Ｍ＝ｐ−１（ｐは、素数）である場合に、ｗは、上記の３つの関数、ｗ＝ＰＧ，１（ｖ，ｎ，Ｍ）、ｗ＝ＰＧ，２（ｖ，ｎ，Ｍ）、及びｗ＝ＰＧ，３（ｖ，ｎ，Ｍ）の中の１つにより生成されることができる。
【００５３】
ステップ３：ｗ＞Ｎである場合に、ｖ＝ｖ＋１とし、ステップ２に進む。その他の場合には、ステップ４に進む。
【００５４】
ステップ４：ｕ＝ｉである場合に、ステップ５に進み、そうでなければ、ｕ＝ｕ＋１、ｖ＝ｖ＋１とし、ステップ２に進む。
【００５５】
ステップ５：出力リソースインデックスｊ＝ｗ＝ＰＧ，４ａ（ｉ，ｎ，Ｎ）を得る。
【００５６】
また、ＮがＮ＝ｐ−１を満足しない場合（ｐは、素数）に対する類似した方式を提案し、ＰＧ，４ｂ（ｉ，ｎ，Ｎ）で示す次のようなプルーンドグラウンド（Pruned Ground）ＧＦフィールド基盤方式を提案する。
【００５７】
ステップ１：最も小さい整数Ｍ＞Ｎ（Ｍは、Ｍ＝ｐ−１を満足し、ｐは、素数であり、変数ｕ＝１及びｖ＝１を設定する。
【００５８】
ステップ２：ｗ＝ＰＧ，３（ｖ，ｎ，Ｍ）によりｗを探す。
【００５９】
ステップ３：ｗ＞Ｎであれば、ｖ＝ｖ＋１とし、ステップ２に進む。そうでなければ、ステップ４に進む。
【００６０】
ステップ４：ｕ＝ｉであれば、ステップ５に進み、そうでなければ、ｕ＝ｕ＋１、ｖ＝ｖ＋１とし、ステップ２に進む。
【００６１】
ステップ５：出力リソースインデックスｊ＝ｗ＝ＰＧ，４ｂ（ｉ，ｎ，Ｎ）を得る。
【００６２】
この提案された置換関数を要約する。したがって、入力のセットｉ、ｎ、Ｎ（ここで、１≦ｉ≦Ｎ及び１≦ｎ≦Ｎ ）に対して、置換出力は、次の関数により求められる。
【００６３】
【数８】
0005513592.tif 000009
【００６４】
上述した方法において、注目すべき点は、入力及び出力リソースがｉ＝１，．．．，Ｎ及びｊ＝１，．．．，Ｎとしてインデックスされると仮定していることである。入力インデックスｉ’及び出力インデックスｊ’がｉ’＝０，．．．，Ｎ−１及びｊ’＝０，．．．，Ｎ−１としてインデックスされる場合には、上述した数式は、次のような方式で使用されなければならない。
【００６５】
【数９】
0005513592.tif 000010
【００６６】
２．直交カバー／サイクリックシフト組合せのためのスロットレベルリソース再マッピング
まず、アップリンク制御チャネルの２個のスロットの各々で使用可能な総Ｎ個のリソースが存在する場合を考慮し、各リソースは、直交カバー及びサイクリックシフトの組合せ（ＯＣ／ＣＳコンボ）として定義される。このようなタイプのリソースコンボ割り当ての適用の一例として、アップリンクＡＣＫ／ＮＡＣＫチャネルを挙げることができる。アップリンクサービスグラント要請チャネルがアップリンクＡＣＫ／ＮＡＣＫチャネルの構成を再使用することができることに留意しなければならない。このようなタイプのリソースコンボ割り当ての適用の他の例として、アップリンク復調基準シンボル（ＲＳ）を挙げることができる。
【００６７】
直交カバーの一例としてウォルシュアダマール（Walsh-Hadamard）コードを挙げることができる。
【００６８】
一方、サイクリックシフト（ＣＳ）は、通常、基本シーケンスに適用され、基本シーケンスの例は、ＺＣ（Zadoff-Zhu）コード及びコンピュータ生成ＣＡＺＡＣ（Constant Amplitude Zero Auto-Correlation）コードを挙げることができる。長さＮの基本シーケンスに対して、Ｎ個のサイクリックシフト又はＮ個のＣＳリソースが存在する。
【００６９】
以下では、ＯＣ／ＣＳコンボを“ＣＢ”として示す。Ｎ個のリソースコンボは、次のように求められる。
【００７０】
【数１０】
0005513592.tif 000011
【００７１】
ここで、ｕｉ及びｖｉは、ｉ番目のリソースコンボに対するＯＣ及びＣＳインデックスをそれぞれ示す。また、ａ＝１，２は、３ＧＰＰ ＬＴＥアップリンク送信のためのサブフレーム内のスロットインデックスである。
【００７２】
２．１  グローバルリソース再マッピング
本発明の原理による第２の実施形態では、アップリンクサブフレームの両スロットにＮ個のＯＣ／ＣＳリソースコンボがあると仮定する。ＵＥが第１のスロットでリソースコンボＣＢ１［ｉ］を選択する場合に、ＵＥは、第２のスロットでＣＢ２［ｇ（ｉ，ｎ）］の割り当てを受けなければならない方式でＯＣ／ＣＳリソースコンボを関連させることを提案する。ここで、ｇ（ｉ，ｎ）は、擬似ランダムリソース再マッピング／置換関数であり、ｎは、パラメータである。
【００７３】
本発明の原理による第２の実施形態の第１のサブ実施形態において、擬似ランダム置換関数は、次の通りに設定される。
【００７４】
【数１１】
0005513592.tif 000012
【００７５】
ここで、ｎは、セット｛１，２，．．．，Ｎ｝又はｎ＝１，．．．，Ｎから選択される。この関数ＰＧ（ｉ，ｎ，Ｎ）は、前のセクションに定義されている。
【００７６】
本発明の原理による第２の実施形態の第２のサブ実施形態において、擬似ランダム置換関数は、次のようにＰＢＲＯ関数を使用する。
【００７７】
【数１２】
0005513592.tif 000013
【００７８】
ここで、関数ＰＢＲＯ（ａ，ｂ）は、前に定義されており、ｎは、セット｛１，２，．．．，Ｎ｝から選択される。
【００７９】
本発明の原理による第２の実施形態の第３のサブ実施形態において、上述した２個のサブ実施形態のパラメータｎは、すべてのセルに対して同一である。パラメータｎは、上位レイヤーシグナリングを介してＵＥに通信されることができる。
【００８０】
本発明の原理による第２の実施形態の第４のサブ実施形態において、パラメータｎは、ＣＥＬＬ ＩＤ（ｃ＿ｉｄ）の関数であり、ｎ＝ｆ（ｃ＿ｉｄ）で示す。したがって、異なるｃ＿ｉｄに対して、異なるパラメータｎを得る。このような関数の一例として、ｎ＝ｍｏｄ（ｃ＿ｉｄ−１，Ｎ）＋１を挙げることができる。
【００８１】
このような実施形態に対する一例を示す前に、参考文献［３］に開示されたような４個のＯＣサブセットＳ１、Ｓ２、Ｓ３、及びＳ４の表を提示する。各サブセットでの３個のコードをＳｉ（Ａ）、Ｓｉ（Ｂ）、及びＳｉ（Ｃ）として示す。
【００８２】
下記の＜表１＞は、３個のＯＣのすべてのセット間の等価マッピングを示す。
【００８３】
【表１】
0005513592.tif 000014
【００８４】
ここで、ＯＣコードのセットは、参考文献［３］に従うウォルシュコードにより次のように与えられる。
【００８５】
【数１３】
0005513592.tif 000015
【００８６】
上述した実施形態の適用の一例を説明する。まず、リソースＯＣ／ＣＳコンボの割り当て／定義は、参考文献［３］に提示された通りに、下記の＜表２＞（Ｎ＝１８）に与えられる。下記の＜表２＞は、２個のスロットに対して定義されたＯＣ／ＣＳリソース組合せ（Ｎ＝１８）を示す。
【００８７】
【表２】
0005513592.tif 000016
【００８８】
ここで、ＯＣ１［１］、ＯＣ１［２］、及びＯＣ１［３］は、スロット１で使用される３個のＯＣコードであり、ＯＣ２［１］、ＯＣ２［２］、及びＯＣ２［３］は、スロット２で使用される３個のＯＣコードである。一般的に、各スロットでのＯＣコードは、＜表１＞に定義されている４個の長さが４であるウォルシュコード｛ｃ１，ｃ２，ｃ３，ｃ４｝の任意のサブセットであることができる。ＯＣコード選択の一例は、１対の整数（ｉ，ｊ）に対して第１のスロット内のＯＣコードがＯＣ１［１］＝Ｓｉ（Ａ）、ＯＣ１［２］＝Ｓｉ（Ｃ）、ＯＣ１［３］＝Ｓｉ（Ｂ）であり、第２のスロット内のＯＣコードがＯＣ２［１］＝Ｓｊ（Ａ）、ＯＣ２［２］＝Ｓｊ（Ｃ）、ＯＣ２［３］＝Ｓｊ（Ｂ）である（参考文献［３］）。例えば、ｉ＝ｊ＝２である場合に、ＯＣ１［１］＝ＯＣ２［１］＝Ｓ２（Ａ）＝ｃ１、ＯＣ１［２］＝ＯＣ２［２］＝Ｓ２（Ｃ）＝ｃ２、及びＯＣ１［３］＝ＯＣ２［３］＝Ｓ２（Ｂ）＝ｃ４である。
【００８９】
上述した＜表２＞における１８個のＯＣ／ＣＳコンボの例において、スロット１及びスロット２内のリソースコンボ間の関連／再マッピングを探す。添付された＜表１９＞に示す代案的な割り当て方式のように、Ｎ＝１８ ＯＣ／ＣＳ組合せが存在する任意の他の場合にも同一の関連／再マッピングが適用されることができることに留意すべきである。Ｎ＝１８及びＮ＋１＝１９が素数であり、ＧＦ（１９）がグラウンドガロアフィールドであるため、ｇ（ｉ，ｎ）＝ＰＧ，３（ｉ，ｎ，１８）＝ｍｏｄ（ｉ×ｎ，１９）をスロット１リソースＣＢ１［ｉ］及びスロット２リソースＣＢ２［ｇ（ｉ，ｎ）］を関連させる置換関数ｇ（ｉ，ｎ）として使用することができる。このようなリソース再マッピング関数は、下記の＜表３＞に図示される。ｎ＝１乃至ｎ＝４である場合に対して図示したが、他のパラメータ値ｎ＝５乃至ｎ＝１８も関数ｇ（ｉ，ｎ）を生成するのに使用されることができることに留意しなければならない。
【００９０】
【表３】
0005513592.tif 000017
【００９１】
他の例では、下記の＜表４＞に示すように、Ｎ＝１２又は各スロットで１２個のＯＣ／ＣＳリソースコンボがある。
【００９２】
下記の＜表４＞は、参考文献［３］に提示された２個のスロットに対して定義されたＯＣ／ＣＳリソース組合せを示す。
【００９３】
【表４】
0005513592.tif 000018
【００９４】
上述した＜表４＞の例において、スロット１及びスロット２のリソースコンボ間の関連（association）を求める。Ｎ＝１２ ＯＣ／ＣＳ組合せが存在する任意の他の場合に対しても同一の関連／再マッピングが適用可能であることに留意しなければならない。Ｎ＝１２及びＮ＋１＝１３が素数であり、ＧＦ（１３）がグラウンドガロアフィールドであるため、ｇ（ｉ，ｎ）＝ＰＧ，３（ｉ，ｎ，１２）＝ｍｏｄ（ｉ×ｎ，１３）をスロット１リソースＣＢ１［ｉ］及びスロット２リソースＣＢ２［ｇ（ｉ，ｎ）］を関連させる置換関数ｇ（ｉ，ｎ）として使用することができる。このようなリソース再マッピング関数は、下記の＜表５＞に示す。下記の＜表５＞は、パラメータｎの関数としてのリソース置換／再マッピング関数ｇ（ｉ，ｎ）を示す（Ｎ＝１２）。ｎ＝１乃至ｎ＝３である場合のみに対して図示したが、他のパラメータ値ｎ＝５乃至ｎ＝１２も関数ｇ（ｉ，ｎ）を生成するのに使用されることができることに留意しなければならない。
【００９５】
【表５】
0005513592.tif 000019
【００９６】
本発明の原理による第３の実施形態において、与えられたセル内のすべてのＵＥに対して、サブセットＳｉ及びＳｊをサブフレーム内のスロット１及びスロット２に割り当てることを提案する。また、サブセットのインデックスｉ及びｊをｃ＿ｉｄで示すＣＥＬＬ ＩＤと関連させることを提案する。これと関連した一例は、次の通りである。
【００９７】
【数１４】
0005513592.tif 000020
【００９８】
ここで、ｎは、正の整数である。ＣＥＬＬ ＩＤがｃ＿ｉｄであるこのセルに対してインデックスｉ及びｊが使用可能な場合に、第１のスロットに対しては、下記の数式（１２）のように仮定する。
【００９９】
【数１５】
0005513592.tif 000021
【０１００】
第２のスロットに対しては、下記の数式（１３）のように仮定する。
【０１０１】
【数１６】
0005513592.tif 000022
【０１０２】
本実施形態は、例えば、上述した＜表２＞及び＜表４＞に示すＮ＝１８及びＮ＝１２の例にすべて適用されることに留意しなければならない。
【０１０３】
２．２  イントラ−サブセットリソース再マッピング
本発明の原理による第４の実施形態において、Ｎ個のリソースをＫ個のサブセットに分割することを提案し、これは、
【０１０４】
【数１７】
0005513592.tif 000023
【０１０５】
で示すことができる。ここで、ｋ番目のサブセットは、Ｎｋ個の要素を有する（ｋ＝１，２，．．．，Ｋ）。また、スロット＃１及びスロット＃２でのサブセットは、同一のインデックスを有する。このようなサブセットの構成を、下記の＜表６＞に示す。
【０１０６】
下記の＜表６＞は、Ｎ個のＯＣ／ＣＳリソースコンボをサブセットに分割した一例を示す。
【０１０７】
【表６】
0005513592.tif 000024
【０１０８】
また、本発明では、サブセット＃ｋ、スロット＃１でのリソースコンボがサブセット＃ｋ、スロット＃２でのリソースコンボに置き換えられる方式でＯＣ／ＣＳリソースコンボを関連させることを提案する。ＵＥがスロット＃１内のサブセット＃ｋに属している第１のスロットでリソースコンボＣＢ１［ｉｋ，ｃ］を選択した場合に（１≦ｃ≦Ｎｋ）、ＵＥは、第２のスロットでＣＢ２［ｇｋ（ｉｋ，ｃ，ｎｋ）］の割り当てを受けなければならない。ここで、ｇｋ（ｉｋ，ｃ，ｎｋ）は、サブセット＃ｋに対する擬似ランダムリソース再マッピング／置換関数であり、ｎｋは、サブセット＃ｋに対するパラメータである。ｉｋ，ｃ＝（ｋ−１）×Ｎｋ＋ｃであることに留意する。また、ＣＢ２［ｇｋ（ｉｋ，ｃ，ｎｋ）］は、スロット＃２内のサブセット＃ｋの一部であるので、１≦ｄ≦Ｎｋ に対してｇｋ（ｉｋ，ｃ，ｎｋ）＝ｉｋ，ｄである。各入力リソースインデックスｉｋ，ｃ（変数ｄを変数ｃから導出する）に対して出力リソースインデックスｉｋ，ｄを導出する方法について説明する。ｉｋ，ｄ＝（ｋ−１）×Ｎｋ＋ｄであることに留意しなければならない。
【０１０９】
本発明の原理による第４の実施形態の第１のサブ実施形態において、各サブセット内のリソース再マッピング／置換は、セクション１で前に提案されたガロアフィールド基盤の置換関数を使用する。各サブセットｋにおいて、下記の数式（１４）に従って２個のリソースＣＢ１［ｉｋ，ｃ］及びＣＢ２［ｇｋ（ｉｋ，ｃ，ｎｋ）］の関連／再マッピングを行う。
【０１１０】
【数１８】
0005513592.tif 000025
【０１１１】
ここで、ｎｋは、サブセットｋに対するパラメータであり、１≦ｎｋ≦Ｎｋである。このようなすべてのパラメータをベクトル形態ｎ＝［ｎ１，．．．，ｎＫ］にさらに収集することができ、可能なパラメータベクトルの総個数は、Ｎ１×Ｎ２×・・・×ＮＫである。また、本発明は、すべてのサブセットでのリソース再マッピングを要約した後に、各パラメータベクトルｎに対して全リソースセットにわたった全般的な再マッピング関数ｇ（ｉ，ｎ）を定義し、スロット＃１内の任意のリソースＣＢ１［ｉ］とスロット＃２内のリソースＣＢ２［ｇ（ｉ，ｎ）］間の関連／再マッピングを提供する。この関数ｇ（ｉ，ｎ）は、ｉが属しているサブセットｋ、すなわち、ｉ＝ｉｋ，ｃであるｃが存在するサブセットをまず求めることにより定義される。
【０１１２】
【数１９】
0005513592.tif 000026
【０１１３】
本発明の原理による第４の実施形態の第２のサブ実施形態において、擬似ランダム置換関数は、次のような方式でＰＢＲＯ関数を使用する。
【０１１４】
【数２０】
0005513592.tif 000027
【０１１５】
関数ＰＢＲＯ（ａ，ｂ）は、導入部に定義されており、ｎｋは、セット｛１，２，．．．，Ｎ｝から選択される。
【０１１６】
本発明の原理による第４の実施形態の第３のサブ実施形態において、この２個のサブ実施形態で使用されるパラメータベクトルｎ＝［ｎ１，．．．，ｎＫ］は、すべてのセルに対して同一である。パラメータベクトルｎ＝［ｎ１，．．．，ｎＫ］は、上位レイヤーシグナリングを介してＵＥに通信されることができる。
【０１１７】
本発明の原理による第４の実施形態の第４のサブ実施形態において、パラメータベクトルｎ＝［ｎ１，．．．，ｎＫ］は、ＣＥＬＬ ＩＤの関数であり、これをｎ＝ｆ（ｃ＿ｉｄ）で示す。したがって、異なるｃ＿ｉｄに対して、異なるパラメータベクトルｎ＝［ｎ１，．．．，ｎＫ］を有することができる。このような関数の一例は、次のようである。
【０１１８】
【数２１】
0005513592.tif 000028
【０１１９】
一例として、この実施形態を＜表２＞の１８個のリソースに適用する。まず、本発明では、１８個のリソースをＫ＝３グループに分け、各グループには、６個のリソースがあり、すなわち、Ｎ１＝Ｎ２＝Ｎ３＝６である。このリソースの分割は、下記の＜表７＞に図示される。下記の＜表７＞は、上述した＜表２＞のリソースをそれぞれ６つのリソースを含む３つのグループに分割した一例を示す。本例において、同一のＯＣコードに属しているすべてのＯＣ／ＣＳコンボは、与えられたスロットに対するサブセットにグループ化される。
【０１２０】
【表７】
0005513592.tif 000029
【０１２１】
また、スロットレベルリソース再マッピングは、下記の＜表８ａ＞乃至＜表８ｃ＞に示されることができる。下記の＜表８ａ＞は、サブセット１に対するリソース再マッピング表であり、下記の＜表８ｂ＞は、サブセット２に対するリソース再マッピング表であり、下記の＜表８ｃ＞は、サブセット３に対するリソース再マッピング表である。ここで、各入力インデックスｉｋ，ｃからインデックスｉｋ，ｄを導出するために置換数式ｄ＝ＰＧ（ｃ，ｎｋ，Ｎｋ）を使用した。特に、Ｎｋ＋１＝７は、素数であり、ＧＦ（７）は、グラウンドガロアフィールドであるため、オプションｄ＝ＰＧ，３（ｃ，ｎｋ，Ｎｋ）＝ｍｏｄ（ｃ×ｎｋ，Ｎｋ＋１）を使用した。
【０１２２】
【表８ａ】
0005513592.tif 000030
【０１２３】
【表８ｂ】
0005513592.tif 000031
【０１２４】
【表８ｃ】
0005513592.tif 000032
【０１２５】
上述した＜表８ａ＞乃至＜表８ｃ＞から分かるように、Ｎ１＝Ｎ２＝Ｎ３＝６であるため、各サブセット内に６個の可能な再マッピング関数が存在する。したがって、総６３個のパラメータベクトルｎがあり、したがって、１８個のＯＣ／ＣＳコンボの全セットに対する６３個の可能なリソース再マッピング関数ｇ（ｉ，ｎ）がある。また、ｎ＝［ｎ１，ｎ２，ｎ３］＝[２，２，２]、又は［１，２，３］、又は［２，３，４］を含む３つの例を下記の＜表９＞に記載する。下記の＜表９＞は、再マッピングが各サブセット内で発生する全リソース再マッピング表である。
【０１２６】
【表９】
0005513592.tif 000033
【０１２７】
２．３  インターサブセットスイッチング
本発明の原理による第５の実施形態では、Ｎ個のリソースをＫ個のサブセットに分割することを提案し、各サブセットは、Ｎ１，Ｎ２，・・・，ＮＫ要素を含み、
【０１２８】
【数２２】
0005513592.tif 000034
【０１２９】
である。また、スロット＃１及びスロット＃２内のサブセットは、同一のインデックスを有する。このようなサブセットの生成は、上述した＜表６＞に図示されており、これは、前の実施形態と類似している。また、本実施形態では、各サブセット内の要素の個数が同一であると仮定する。すなわち、Ｎ１＝Ｎ２＝・・・＝ＮＫである。
【０１３０】
これから、本発明では、相互に異なるサブセット間のサブセットワイズ（subset-wise）スイッチングを実行するリソース再マッピング方式を提案する。このような演算をＰＧ［ｓ１，ｓ２，・・・，ｓＫ］で示し、ここで、１≦ｓ１，・・・，ｓＫ≦Ｋは、スイッチングパターンを示すインデックスであり、これらは、第１のスロット内のサブセット＃ｓ１は、第２のスロット内のサブセット＃１に再マッピングされ、第１のスロット内のサブセット＃ｓ２は、第２のスロット内のサブセット＃２に再マッピングされるなどのような方式でスイッチングパターンを示す。各リソース要素のイントラサブセットインデックスは、このスイッチング演算で変わらない。第１のスロット内のリソースがＣＢ１［ｉ］で示され、再マッピングの後に、このリソースは、第２のスロットでＣＢ２［ｗ（ｉ，ＰＧ［ｓ１，ｓ２，・・・，ｓＫ］）］（または、簡単に、ＣＢ２［ｗ（ｉ，ＰＧ［・］）］）で示される。言い換えれば、ＵＥが第１のスロットでリソース組合せＣＢ１［ｉ］を選択すると、ＵＥは、第２のスロットでＣＢ２［ｇ（ｗ（ｉ，ＰＧ［ｓ１，ｓ２，・・・，ｓＫ］），ｎ）］の割り当てを受けなければならない。
【０１３１】
本発明の原理による第５の実施形態の第１のサブ実施形態において、インターサブセットスイッチングパターンＰＧ［ｓ１，ｓ２，・・・，ｓＫ］は、すべてのセルに対して同一である。パラメータＰＧ［ｓ１，ｓ２，・・・，ｓＫ］は、上位レイヤーシグナリングを用いてＵＥに通信されることができる。
【０１３２】
本発明の原理による第５の実施形態の第２のサブ実施形態において、このインターサブセットスイッチングパターンＰＧ［ｓ１，ｓ２，・・・，ｓＫ］は、ＣＥＬＬ ＩＤの関数であり、これをＰＧ［ｓ１，ｓ２，・・・，ｓＫ］＝ｅ（ｃ＿ｉｄ）で示す。したがって、異なるｃ＿ｉｄに対して、異なるインターサブセットスイッチングパターンＰＧ［ｓ１，ｓ２，・・・，ｓＫ］を求めることができる。
【０１３３】
例えば、上述した＜表２＞に示すような１８個のＯＣ／ＣＳリソースを各スロット内の３個のサブセットに分割することができる。このような例において、各サブセットは、１個のＯＣコード上のすべてのリソースコンボに対応する。スロット＃１内の３個のサブセットは、Ｇ１［１］＝｛ＣＢ１［１］，・・・，ＣＢ１［６］｝、Ｇ１［２］＝｛ＣＢ１［７］，・・・，ＣＢ１［１２］｝、及びＧ１［３］＝｛ＣＢ１［１３］，・・・，ＣＢ１［１８］｝で与えられる。スロット＃２内のサブセットは、同様に、Ｇ２［１］、Ｇ２［２］、及びＧ２［３］として定義される。本発明では、ＰＧ［２，３，１］を、サブセットＧ１［２］のリソースをサブセットＧ２［１］にマッピングし、サブセットＧ１［３］をＧ２［２］にマッピングし、サブセットＧ１［１］をサブセット Ｇ２［３］などにマッピングする“サブセットワイズリソースマッピング”として示す。同様に、ＰＧ［１，３，２］、ＰＧ［２，１，３］、ＰＧ［３，１，２］、ＰＧ［３，２，１］を定義することができる。第１のスロットでのリソースコンボＣＢ１［ｉ］と第２のスロットでのリソースコンボＣＢ２［ｗ（ｉ，ＰＧ［・］）］とを関連させる関数ｇ（ｉ，ＰＧ［．］）の幾つかの例を下記の＜表１０＞に提示する。下記の＜表１０＞は、サブセットワイズリソーススイッチングの一例を示す。
【０１３４】
【表１０】
0005513592.tif 000035
【０１３５】
２．４  イントラサブセット再マッピングとインターサブセットスイッチングとの組合せ
本発明の原理による第６の実施形態では、前の実施形態で説明されたイントラサブセット再マッピングとインターサブセットスイッチングとを結合することを提案する。第１のスロットでのリソースがＣＢ１［ｉ］で示される場合に、再マッピングの後に、このリソースは、第２のスロットでのＣＢ２［ｇ（ｗ（ｉ，ＰＧ［ｓ１，ｓ２，・・・，ｓＫ］），ｎ）］（又は簡単に、ＣＢ２［ｇ（ｗ（ｉ，ＰＧ［・］），ｎ）］）で示される。インターサブセットスイッチングとイントラサブセット置換との結合演算を示すために合成関数ｇ（ｗ（ｉ，ＰＧ［・］），ｎ）を使用することに留意する。ここで、ＰＧ［ｓ１，ｓ２，・・・，ｓＫ］は、インターサブセットスイッチングパターンであり、ｎ＝［ｎ１，・・・，ｎＫ］ は、イントラサブセット再マッピングパラメータベクトルである。これは、セクション２．３に定義されているように、イントラサブセット置換ｇ（・，ｎ）関数がＧＦ基盤である場合とＰＢＲＯ基盤である場合とのすべてに適用される。
【０１３６】
本発明の原理による第６の実施形態の第１のサブ実施形態において、インターサブセットスイッチングパターンＰＧ［ｓ１，ｓ２，・・・，ｓＫ］及び／又はパラメータベクトルｎ＝［ｎ１，・・・，ｎＫ］は、すべてのセルに対して同一である。このパラメータＰＧ［ｓ１，ｓ２，・・・，ｓＫ］及びｎ＝［ｎ１，・・・，ｎＫ］は、上位レイヤーシグナリングを介してＵＥに通信されることができる。
【０１３７】
本発明の原理による第６の実施形態の第２のサブ実施形態において、インターサブセットスイッチングパターンＰＧ［ｓ１，ｓ２，・・・，ｓＫ］及び／又はパラメータベクトルｎ＝［ｎ１，・・・，ｎＫ］は、ＣＥＬＬ ＩＤの関数であり、それぞれＰＧ［ｓ１，ｓ２，・・・，ｓＫ］＝ｅ（ｃ＿ｉｄ）及びｎ＝ｆ（ｃ＿ｉｄ）で示す。したがって、異なるｃ＿ｉｄに対して、異なるインターサブセットスイッチングパターンＰＧ［ｓ１，ｓ２，・・・，ｓＫ］及び／又はパラメータベクトルｎ＝［ｎ１，・・・，ｎＫ］を得ることができる。
【０１３８】
下記の＜表１１＞では、インターサブセット置換が上述した＜表２＞の同一の１８個のリソース例を用いてインターサブセットスイッチングと結合されることができる方法を示す。この例では、次のようなＧＦ基盤のイントラサブセット置換関数を使用した。
【０１３９】
【数２３】
0005513592.tif 000036
【０１４０】
【数２４】
0005513592.tif 000037
【０１４１】
この例では、１８個のリソースコンボは、３個のサブセットに分割されるＮ１＝Ｎ２＝Ｎ３＝６に留意しなければならない。
【０１４２】
下記の＜表１１＞は、イントラサブセット置換及びインターサブセットスイッチングを用いるリソース再マッピングの一例を示す。
【０１４３】
【表１１】
0005513592.tif 000038
【０１４４】
２．５  ＯＣ／ＣＳリソース再マッピング方式とセル特定ＣＳホッピングとの結合
本発明の原理による第７の実施形態において、上述したセクション２．１−２．４に説明されているスロットレベルＯＣ／ＣＳコンボリソース置換方法をｈ＿ｓｙｍ（ｃ＿ｉｄ，ｓ＿ｉｄ，ｌ＿ｉｄ）で示されるセル特定シンボルレベルＣＳリソースホッピングパターンと結合することを提案する。ここで、ＣＥＬＬ ＩＤは、ｃ＿ｉｄで示され、サブフレームＩＤは、ｓ＿ｉｄで示され、サブフレーム内のＯＦＤＭシンボル（長ブロック）ＩＤは、ｌ＿ｉｄで示される。付加のセル特定ホッピングステップは、特定のＯＦＤＭ上でＣＳリソースをｈ＿ｓｙｍ（ｃ＿ｉｄ，ｓ＿ｉｄ，ｌ＿ｉｄ）で特定される量だけ周期的にシフトすることにより実行される。
【０１４５】
本発明の原理による第８の実施形態において、セクション２．１−２．４の実施形態で説明されているシンボルレベルＣＳリソース置換方法をｈ＿ｓｌｏｔ（ｃ＿ｉｄ，ｓｌ＿ｉｄ）で示されるセル特定スロットレベルＣＳリソースホッピングパターンと結合することを提案する。ここで、ＣＥＬＬ ＩＤは、ｃ＿ｉｄで示され、スロットＩＤは、ｓｌ＿ｉｄで示される。付加のセル特定ホッピングステップは、特定のＯＦＤＭ上でＣＳリソースをｈ＿ｓｌｏｔ（ｃ＿ｉｄ，ｓｌ＿ｉｄ）で特定される量だけ周期的にシフトすることにより実行される。
【０１４６】
本発明の第７及び第８の実施形態で提案されたＯＣ／ＣＳリソースコンボ置換及びセル特定ホッピングを結合する方法についてさらに詳細に説明する。本議論において、すべてのＯＣ／ＣＳコンボのＣＳの可能な値をＫとし、Ｋは、最大ホップ値である。セクション２．１−２．４に説明されている置換方法の中のいずれか１つに従って、ＣＢ１［ｉ］＝〈ＯＣ１［ｕｉ］，ＣＳ１［ｖｉ］〉を第１のスロットでのリソースコンボとし、ＣＢ１［ｉ］＝〈ＯＣ１［ｕｉ］，ＣＳ１［ｖｉ］〉を第２のスロットでのＣＢ２［ｊ］＝〈ＯＣ２［ｕｊ］，ＣＳ２［ｖｊ］〉と関連／再マッピングされると仮定する。第７の実施形態において、シンボルレベルセル特定ホッピングが使用される場合に、サブフレームの第１のスロットでのＣＳインデックスｉは、インデックスｌ＿ｉｄを有するＯＦＤＭシンボルに対してｃｙｃｌｉｃ＿ｓｈｉｆｔ（ｖｉ，ｈ＿ｓｙｍ（ｃ＿ｉｄ，ｓ＿ｉｄ，ｌ＿ｉｄ），Ｋ）にホッピングし、サブフレームの第２のスロットでのＣＳインデックスｊは、ｃｙｃｌｉｃ＿ｓｈｉｆｔ（ｖｊ，ｈ＿ｓｙｍ（ｃ＿ｉｄ，ｓ＿ｉｄ，ｌ＿ｉｄ），Ｋ）にホッピングしうる。同様に、スロットレベルセル特定ホッピングが使用される場合に、サブフレームの第１のスロットでのＣＳインデックスｉは、インデックスｌ＿ｉｄを有するＯＦＤＭシンボルに対してｃｙｃｌｉｃ＿ｓｈｉｆｔ（ｖｉ，ｈ＿ｓｌｏｔ（ｃ＿ｉｄ，ｓｌ＿ｉｄ），Ｋ）にホッピングし、サブフレームの第２のスロットでのＣＳインデックスｊは、ｃｙｃｌｉｃ＿ｓｈｉｆｔ（ｖｊ，ｈ＿ｓｌｏｔ（ｃ＿ｉｄ，ｓｌ＿ｉｄ），Ｋ）にホッピングしうる。
【０１４７】
Ｎ個のリソースが１，２，・・・，Ｎとしてインデキシングされる場合（本文書の全般にわたって適用される）、サイクリックシフト演算は、下記の数式（２０）のように定義されることに留意する。
【０１４８】
【数２５】
0005513592.tif 000039
【０１４９】
一方、Ｎ個のリソースが０，１，２，・・・，Ｎ―１としてインデキシングされる場合に、サイクリックシフト演算は、下記の式（２１）のように定義される。
【０１５０】
【数２６】
0005513592.tif 000040
【０１５１】
３．サイクリックシフトリソースのためのシンボルレベル及びスロットレベルリソース再マッピング
ＣＳリソース割り当て/再マッピングは、次のような場合に適用可能である。
【０１５２】
・チャネル品質指示子（ＣＱＩ）チャネルだけを含むアップリンク制御ＲＢ
【０１５３】
ＣＱＩとＡＣＫ／ＮＡＣＫチャネルとをすべて含むアップリンク制御ＲＢ
【０１５４】
ＡＣＫ／ＮＡＣＫチャネルだけを含むアップリンク制御ＲＢ。アップリンクサービスグラント要請チャネルがアップリンクＡＣＫ／ＮＡＣＫチャネルの構成を再使用することができることに留意する。
【０１５５】
３．１  シンボルレベルＣＳ再マッピング
本発明の原理による第９の実施形態において、ＵＥの、あるチャネル（例えば、ＣＱＩ、ＡＣＫ／ＮＡＣＫ）が第１のＯＦＤＭシンボル（ｌ＿ｉｄ＝１）でＣＳリソースＣＳ１［ｍ］の割り当てを受けると、ＯＦＤＭシンボルｌ＿ｉｄ＞１でＣＳｌ＿ｉｄ［ｔ（ｍ，ｌ＿ｉｄ，ｎ）］の割り当てを受ける方式でＣＳリソースを関連させることを提案する。ここで、ｔ（ｍ，ｌ＿ｉｄ，ｎ）は、入力リソースインデックスｍ、ＯＦＤＭシンボルインデックスｌ＿ｉｄ、及び整数であるパラメータｎの関数である擬似ランダムリソース再マッピング／置換関数である。ｍ＝１，２，・・・，Ｍであり、Ｍは、各ＯＦＤＭシンボルでのＣＳリソースの総個数である。
【０１５６】
ＵＬ Ａ／Ｎチャネル（又はサービンググラント）に適用される場合に、シンボルレベルＣＳ再マッピングは、スロットレベルＯＣ再マッピング又はＯＣホッピングと結合されることができることに留意する。スロットレベルＯＣ再マッピングは、１つのスロットから次のスロットに再マッピングされるリソースがＯＣリソースであるだけ、ＯＣ／ＣＳコンボリソースでないという点だけを除外すると、明細書全般にわたって論議されたスロットレベルＯＣ／ＣＳコンボリソース再マッピングと非常に類似している。これに関連して、ＯＣホッピングは、ＣＳホッピングと同一の意味を有する。
【０１５７】
考慮中の第１のＯＦＤＭシンボルに対してｌ＿ｉｄ＝１の場合にｔ（ｍ，ｌ＿ｉｄ，ｎ）＝ｍであるものに注目する。
【０１５８】
本発明の原理による第９の実施形態の第１のサブ実施形態において、擬似ランダム置換関数は、下記の数式（２２）のように設定される。
【０１５９】
【数２７】
0005513592.tif 000041
【０１６０】
ここで、ｒ（ｌ＿ｉｄ，ｎ，Ｍ）＝ｍｏｄ（ｌ＿ｉｄ＋ｎ−１，Ｍ）＋１である。ガロアフィールド基盤の再マッピング／置換関数ＰＧ（ｍ，ｒ，Ｍ）は、前のセクションに定義されている。
【０１６１】
本発明の原理による第９の実施形態の第２のサブ実施形態において、擬似ランダム置換関数は、下記の数式（２３）のような方式でＰＢＲＯ関数を使用する。
【０１６２】
【数２８】
0005513592.tif 000042
【０１６３】
関数ＰＢＲＯ（ａ，ｂ）は、導入部に定義されている。
【０１６４】
本発明の原理による第９の実施形態の第３のサブ実施形態において、上述した２個のサブ実施形態のパラメータｎは、すべてのセルに対して同一である。パラメータｎは、上位レイヤーシグナリングを介してＵＥに通信されることができる。
【０１６５】
本発明の原理による第９の実施形態の第４のサブ実施形態において、パラメータｎは、ＣＥＬＬ ＩＤの関数であり、ｎ＝ｆ（ｃ＿ｉｄ）で示す。したがって、異なるｃ＿ｉｄに対して、異なるパラメータｎを得る。このような関数の一例として、ｎ＝ｍｏｄ（ｃ＿ｉｄ−１，Ｎ）＋１を挙げることができる。
【０１６６】
例えば、各アップリンクＯＦＤＭシンボルには６個のＣＳリソースが存在し、又は、Ｍ＝６であり、ここで、Ｌ＝８のアップリンクＯＦＤＭシンボルが考慮されると、ｎ＝０であり、ｔ（ｍ，ｌ＿ｉｄ，ｎ）＝ＰＧ，３（ｍ，ｒ（ｌ＿ｉｄ，０，６），６）とする。 ここで、Ｍ＋１＝７であり、ＧＦ（７）は、グラウンドガロアフィールドであるため、前に定義されたＰＧ，３（・，・，・）関数を使用することができる。ＯＦＤＭシンボルインデックスｌ＿ｉｄの関数としてのリソース再マッピング／関連は、下記の＜表１２＞に示す。ここでは、パラメータｎは、０が選択されている。
【０１６７】
下記の＜表１２＞は、Ｍ＝６、Ｌ＝８である場合のＯＦＤＭシンボルｉｄの関数としてのＣＳリソース再マッピングの一例を示す。
【０１６８】
【表１２】
0005513592.tif 000043
【０１６９】
３．２  スロットレベルＣＳ再マッピング
本発明の原理による第１０の実施形態において、ＵＥのあるチャネル（例えば、ＣＱＩ、ＡＣＫ／ＮＡＣＫ）が第１のスロットでＣＳリソースＣＳ１［ｍ］の割り当てを受ける場合に、チャネルは、第２のスロットでＣＳ２［ｇ（ｍ，ｎ）］の割り当てを受ける方式でＣＳリソースを関連させることを提案する。ここで、ｇ（ｍ，ｎ）は、入力リソースインデックスｍ及び整数であるパラメータｎの関数である擬似ランダムリソース再マッピング／置換関数である。
【０１７０】
ＵＬ Ａ／Ｎチャネル（又はサービンググラント）に適用される場合に、スロットレベルＣＳ再マッピングは、スロットレベルＯＣ再マッピング又はＯＣホッピングと結合されることができることに留意する。
【０１７１】
本発明の原理による第１０の実施形態の第１のサブ実施形態において、擬似ランダム置換関数は、下記の数式（２４）のように設定される。
【０１７２】
【数２９】
0005513592.tif 000044
【０１７３】
ここで、ｎは、セット［１，Ｍ］又はｎ＝１，．．．，Ｍから選択される。関数ＰＧ（ｍ，ｎ，Ｍ）は、前のセクションに定義されている。
【０１７４】
本発明の原理による第１０の実施形態の第２のサブ実施形態において、擬似ランダム置換関数は、下記の数式（２５）のような方式でＰＢＲＯ関数を使用する。
【０１７５】
【数３０】
0005513592.tif 000045
【０１７６】
関数ＰＢＲＯ（ａ，ｂ）は、導入部に定義されている。
【０１７７】
本発明の原理による第１０の実施形態の第３のサブ実施形態において、上述した２個のサブ実施形態のパラメータｎは、すべてのセルに対して同一である。パラメータｎは、上位レイヤーシグナリングを介してＵＥに通信されることができる。
【０１７８】
本発明の原理による第１０の実施形態の第４のサブ実施形態において、パラメータｎは、ＣＥＬＬ ＩＤの関数であり、ｎ＝ｆ（ｃ＿ｉｄ）で示す。したがって、異なるｃ＿ｉｄに対して、異なるパラメータｎを得る。このような関数の一例として、ｎ＝ｍｏｄ（ｃ＿ｉｄ−１，Ｍ）＋１を挙げることができる。ここで、ｎ＝１，２，３，４である場合に、Ｍ＝６の一例を考慮する。下記の＜表１３＞は、Ｍ＝６である場合のスロットレベルＣＳ再マッピングの一例を示す。
【０１７９】
【表１３】
0005513592.tif 000046
【０１８０】
専用ＣＱＩ又は専用Ａ／ＮアップリンクＲＢに対するスロットレベルＣＳ再マッピングの適用は、簡単であるので（straightforward）、付加の説明を行わない。他方、混合されたＣＱＩ及びＡ／ＮアップリンクＲＢに対するスロットレベルＣＳ再マッピングの適用は、あまり明らかでないので、この適用がどのように機能するかを下記の例を介して説明する。
【０１８１】
ここで、１つのＲＢ（１２個のサブキャリア）内で混合されたＡＣＫ／ＮＡＣＫ及びＣＱＩチャネルの場合にスロットレベルＣＳ再マッピングを適用する方法の一例を提示する。ＡＣＫ／ＮＡＣＫ及びＣＱＩにより使用されるＣＳの総数は、８（Ｍ＝８）であり、５個のＣＳを共有する総８個のＡＣＫ／ＮＡＣＫチャネルがあり、３個のＣＳを共有する３個のＣＱＩチャネルがある。この例で使用されるＣＳ再マッピング関数は、ｇ（ｍ，ｎ）（ｎ＝２）である。Ｍ＋１＝９及びＧＦ（９）＝ＧＦ（３２）は、ガロアフィールドであるが、グラウンドガロアフィールドではないことに留意する。ＧＦ（９）の０でないエレメントは、下記の＜表１４＞で提示される。
【０１８２】
【表１４】
0005513592.tif 000047
【０１８３】
ｎ＝２である場合のｇ（ｍ，ｎ）のマッピング表がＭ＝８（ＧＦ（９））について提示されており、ｇ（ｍ，ｎ）＝ＰＧ，１（ｍ，ｎ，Ｍ）＝ＰＧ，１（ｍ，２，８）である。ここで、ＰＧ，１（ｍ，ｎ，Ｍ）は、セクション１に定義されている。下記の＜表１５ａ＞は、ｇ（ｍ，２）とのＣＳ再マッピング（Ｍ＝８）表であり、下記の＜表１５ｂ＞は、ｇ（ｉ，ｎ）とのスロットレベル再マッピング（Ｎ＝８，ｎ＝２）表である。
【０１８４】
【表１５ａ】
0005513592.tif 000048
【０１８５】
あるいは、下記の＜表１５ｂ＞を生成するためにプルーンドグラウンドＧＦフィールド基盤方法ｇ（ｍ，ｎ）＝ＰＧ，４ｂ（ｍ，ｎ，Ｍ）＝ＰＧ，４ｂ（ｍ，２，８）を使用することができる。
【０１８６】
【表１５ｂ】
0005513592.tif 000049
【０１８７】
下記の表では、ＣＳリソース再マッピングがどのように動作するかを示す。Ｍ＝８ ＣＳがあり、再マッピングは、このような“使用された”ＣＳのセット内でだけ発生することに留意する。下記の表のために＜表１５ａ＞のＣＳ再マッピング規則を使用した。単一のＡ／Ｎチャネル又はＣＱＩチャネルがＯＣ／ＣＳ表内の相互に異なる領域に再マッピングされる方式に注目する。下記の＜表１６＞は、混合ＣＱＩ及びＡＣＫ／ＮＡＣＫチャネルアップリンクＲＢでのＣＳ再マッピングの一例を示す。
【０１８８】
【表１６】
0005513592.tif 000050
【０１８９】
３．３  混合ＣＱＩ及びＡＣＫ／ＮＡＣＫ場合でのリソース再マッピングのための代案的な方法
上述した＜表１６＞において、ＣＱＩ及びＡ／Ｎチャネル上の共同ＣＳ再マッピングの後に、４本のＡ／Ｎチャネル、Ａ／Ｎ＃１，２，６，７が隣接ＣＳに割り当てられることをわかる。これは、Ａ／Ｎ性能を低下させることがある。このサブセクションにおいて、混合ＣＱＩ及びＡＣＫ／ＮＡＣＫ場合でのリソース再マッピングのための代案的な方式について提案する。
【０１９０】
本発明の原理による第１１の実施形態において、１つのＲＢ内の全ＣＳリソースを２個の部分、すなわち、ＣＱＩチャネルに割り当てられる部分とＡＣＫ／ＮＡＣＫ（又はサービング要請）チャネルに割り当てられる部分とに分割することを提案する。この割り当ては、サブフレームの２個のスロットで固定される。また、ＣＱＩチャネルに割り当てられたＣＳの部分内で、セクション３．１で提案されたシンボルレベルＣＳ再マッピング及びセクション３．２で提案されたスロットレベルＣＳ再マッピングのすべてが適用されることができる。一方、アップリンクＡ／Ｎチャネル（又はサービング要請）に割り当てられるＣＳリソース内では、（ａ）セクション２．１−２．４に説明されている共同スロットレベル共同ＯＣ／ＣＳ再マッピング、（ｂ）セクション３．１に説明されているシンボルレベルＣＳ再マッピング、及び（ｃ）セクション３．２に説明されているスロットレベルＣＳ再マッピングの中の１つを適用することができる。
【０１９１】
この代案的な方式を示すために、上述した＜表１６＞で使用される８個のＡ／Ｎチャネル及び３個のＣＱＩチャネルの例を再使用する。また、この例において、Ａ／Ｎ部分に対するスロットレベルグローバルＯＣ／ＣＳ再マッピング（セクション２．１）とＣＱＩ部分に対するスロットレベルＣＳ再マッピングとを使用する。上述した＜表１７＞からＡ／Ｎ部分及びＣＱＩ部分に割り当てられたＣＳリソースがスロット＃１及びスロット＃２で同一に残っていることが明白である。
【０１９２】
下記の＜表１７＞は、混合ＣＱＩ及びＡＣＫ／ＮＡＣＫチャネルの場合においてアップリンクＲＢでのリソース再マッピングのための代案的な方法の一例を示す。
【０１９３】
【表１７】
0005513592.tif 000051
【０１９４】
また、Ａ／Ｎ（又はサービンググラント）チャネルに対して、Ａ／Ｎチャネルが第１のスロットでリソースコンボＣＢ１［ｉ］の割り当てを受けると、Ａ／Ｎチャネルは、第２のスロットでＣＢ２［ｇ（ｉ，ｎ）］の割り当てを受けなければならない。ｎ＝２とする。ｇ（ｉ，ｎ）の一例として、ｇ（ｉ，ｎ）＝ＰＧ，１（ｉ，２，８）とする（この例において、Ｎ＝８は、Ａ／Ｎチャネルに対して総８個のＯＣ／ＣＳ組合せがあることを示し、ＧＦ（９）が存在する）。ｍをｉに置き換え、ＭをＮに置き換えると、このマッピング表は、上述した＜表１５ａ＞又は＜表１５ｂ＞と同一である。
【０１９５】
他方、ＣＱＩチャネルの場合に、ＣＱＩチャネルが第１のスロットでＣＳリソースＣＳ１［ｍ］の割当てを受けると、第２のスロットでは、ＣＳ２［ｇ（ｍ，ｎ）］の割当てを受けなければならない。同様に、ｎ＝２とする。ｇ（ｍ，ｎ）の一例として、ｇ（ｍ，ｎ）＝ＰＧ，１（ｍ，２，３）とする（この例において、Ｍ＝３は、Ａ／Ｎチャネルに対して総３個のＣＳリソースを示し、ＣＦ（４）が存在する）。ここで、このマッピング表は、簡潔性のために省略される。
【０１９６】
３．４  ＣＳリソースマッピングとセル特定ホッピングとの結合
本発明の原理による第１２の実施形態において、上述した実施形態で説明されたシンボルレベルＣＳリソース置換方法をｈ＿ｓｙｍ（ｃ＿ｉｄ，ｓ＿ｉｄ，ｌ＿ｉｄ）で示されるセル特定シンボルレベルＣＳリソースホッピングパターンと結合することを提案する。ここで、ＣＥＬＬ ＩＤは、ｃ＿ｉｄで示され、サブフレームＩＤは、ｓ＿ｉｄで示される。サブフレーム内のＯＦＤＭシンボル（長ブロック）ＩＤは、ｌ＿ｉｄ で示される。付加のセル特定ホッピングステップは、特定のＯＦＤＭ上でＣＳリソースをｈ＿ｓｙｍ（ｃ＿ｉｄ，ｓ＿ｉｄ，ｌ＿ｉｄ）で特定される量だけ周期的にシフトすることにより実行される。
【０１９７】
本発明の原理による第１３の実施形態において、上述した実施形態で説明されたシンボルレベルＣＳリソース置換方法をｈ＿ｓｌｏｔ（ｃ＿ｉｄ，ｓｌ＿ｉｄ）で示されるセル特定スロットレベルＣＳリソースホッピングパターンと結合することを提案する。ここで、ＣＥＬＬ ＩＤは、ｃ＿ｉｄで示され、スロットＩＤは、ｓｌ＿ｉｄで示される。付加のセル特定ホッピングステップは、特定のＯＦＤＭ上でＣＳリソースをｈ＿ｓｌｏｔ（ｃ＿ｉｄ，ｓｌ＿ｉｄ）で特定される量だけ周期的にシフトすることにより実行される。
【０１９８】
上述した２つの実施形態で提案されたシンボルレベルＣＳリソース置換及びセル特定ホッピングを結合する方法についてさらに詳細に説明する。本議論でＣＳリソースの個数をＫとし、Ｋは、最大ホップ値である。前に論議されたシンボルレベル再マッピングアルゴリズムに従って、ＣＳｌ＿ｉｄ［ｔ（ｍ，ｌ＿ｉｄ，ｎ）］は、ＯＦＤＭシンボルｌ＿ｉｄに対するＣＳリソースを示す。シンボルレベルセル特定ホッピングが使用される場合に、ＣＳインデックスは、ＯＦＤＭシンボルｌ＿ｉｄに対してｃｙｃｌｉｃ＿ｓｈｉｆｔ（ｔ（ｍ，ｌ＿ｉｄ，ｎ），ｈ＿ｓｙｍ（ｃ＿ｉｄ，ｓ＿ｉｄ，ｌ＿ｉｄ），Ｋ）にホッピングしうる。同様に、スロットレベルセル特定ホッピングが使用される場合に、第１のスロットのＣＳインデックスは、ｓｌ＿ｉｄによりインデキシングされたスロットでＯＦＤＭシンボルインデックスｌ＿ｉｄに対してｃｙｃｌｉｃ＿ｓｈｉｆｔ（ｔ（ｍ，ｌ＿ｉｄ，ｎ），ｈ＿ｓｌｏｔ（ｃ＿ｉｄ，ｓｌ＿ｉｄ），Ｋ）にホッピングしうる。
【０１９９】
スロットレベルＣＳリソース再マッピングとスロット又はシンボルレベルセル特定ホッピングとの結合についての説明は、これと類似しているので、簡潔性のために省略する。
【０２００】
４．スロットレベル又はシンボルレベルセル特定ＣＳホッピングパターンの生成
最大ホップ値をＫと仮定する。
【０２０１】
本発明の原理による第１４の実施形態において、ｋ個の連続スロットの期間に対するスロットレベル基本シーケンスセル特定パターンを提案する。セル特定スロットレベルホッピングパターンは、次のようである。
【０２０２】
【数３１】
0005513592.tif 000052
【０２０３】
又は
【０２０４】
【数３２】
0005513592.tif 000053
【０２０５】
ここで、関数ｒは、ｒ（ｃ＿ｉｄ，ｎ，Ｋ）＝ｍｏｄ（ｃ＿ｉｄ＋ｎ−１，Ｋ）＋１として定義される。ｓｌ＿ｉｄ＝１，・・・，Ｋは、このＫ個の連続スロット内のスロットのスロットインデックスであり、ｎは、整数であるパラメータであり、ｃ＿ｉｄは、ＣＥＬＬ ＩＤを示すことに留意する。ガロアフィールド基盤の再マッピング／置換関数ＰＧ（ｃ＿ｉｄ，ｒ，Ｋ）は、セクション１に定義されている。ＰＢＲＯ関数は、前に定義された。
【０２０６】
例えば、１２個のサブキャリアがＬＴＥアップリンク制御チャネルＰＵＣＣＨに存在する場合に、最大ホップＫ＝１２である。例えば、ｎ＝０とし、ｈ＿ｓｌｏｔ（ｃ＿ｉｄ，ｓｌ＿ｉｄ）＝ＰＧ，３（ｓｌ＿ｉｄ，ｒ（ｃ＿ｉｄ，０，１２），１２）＝ｍｏｄ（ｓｌ＿ｉｄ×ｒ（ｃ＿ｉｄ，０，１２），１３）とする。ここで、１２＋１＝１３であり、ＧＦ（１３）は、グラウンドガロアフィールドであるため、前に定義されたＰＧ，３（・，・，・）関数を使用することができる。
【０２０７】
さらに、最大ホップ値をＫで示す。また、Ｌをサブフレーム内の関心のある（interest）ＯＦＤＭシンボルの個数とする。
【０２０８】
本発明の原理による第１５の実施形態において、すべてのサブフレームを反復するシンボルレベル基本シーケンスセル特定パターンを提案する。すなわち、これは、サブフレームＩＤの関数ではない。ｓ＿ｉｄをサブフレームＩＤとし、次のようなセル特定スロットレベルホッピングパターンを提案する。
【０２０９】
【数３３】
0005513592.tif 000054
【０２１０】
又は
【０２１１】
【数３４】
0005513592.tif 000055
【０２１２】
ここで、関数ｘ及びｒは、それぞれｘ（ｌ＿ｉｄ，Ｋ）＝ｍｏｄ（ｌ＿ｉｄ−１，Ｋ）＋１及びｒ（ｃ＿ｉｄ，ｎ，Ｋ）＝ｍｏｄ（ｃ＿ｉｄ＋ｎ−１，Ｋ）＋１として定義される。ｌ＿ｉｄ＝１，・・・，Ｌは、ＯＦＤＭシンボル（長ブロック）ＩＤを示し、ｎは、整数であるパラメータであり、ｓ＿ｉｄは、サブフレームＩＤを示し、ｃ＿ｉｄは、ＣＥＬＬ ＩＤを示すことに留意する。ガロアフィールド基盤の再マッピング／置換関数ＰＧ（ｘ，ｒ，Ｋ）は、セクション１に定義されている。ＰＢＲＯ関数は、導入部に定義されている。
【０２１３】
例えば、ＬＴＥアップリンク制御チャネルＰＵＣＣＨに１２個のサブキャリアがある場合に、最大ホップＫ＝１２である。例えば、ｎ＝０とし、ｈ＿ｓｙｍ（ｃ＿ｉｄ，ｓ＿ｉｄ，ｌ＿ｉｄ）＝ＰＧ，３（ｘ（ｌ＿ｉｄ，１２），ｒ（ｃ＿ｉｄ，０，１２），１２）＝ｍｏｄ（ｘ（ｌ＿ｉｄ，１２）×ｒ（ｃ＿ｉｄ，０，１２），１３）とする。ここで、１２＋１＝１３であり、ＧＦ（１３）は、グラウンドガロアフィールドであるため、前に定義されたＰＧ，３（・，・，・）関数を使用することができる。
【０２１４】
５．サブフレームレベル又はスロットレベル基本シーケンスホッピングパターンの生成
本発明の原理による第１６の実施形態において、アップリンク通信のために総Ｚ個の基本シーケンスがあると仮定する。Ｚ個の連続スロットの期間に対するサブフレームレベル基本シーケンスホッピングパターンを提案する。また、与えられたセルに対して、ＢＳ１［ｚ］＝ｚは、Ｚ個の連続スロットの１つの期間内の第１のサブフレームでの基本シーケンスインデックスとすると、同一のセルでの後続のサブフレームで使用される基本シーケンスインデックスは、ＢＳｓ＿ｉｄ［ｓ（ｚ，ｓ＿ｉｄ，ｎ）］で示される。ここで、ｚ＝１，・・・，Ｚ，ｓ＿ｉｄ＝１，・・・，Ｚであり、ｎは、整数であるパラメータである。ｓ＿ｉｄは、Ｚ個のサブフレームの期間内のサブフレームＩＤを示す。
【０２１５】
本発明の原理による第１６の実施形態のサブ実施形態において、擬似ランダム置換関数ｓ（ｚ，ｓ＿ｉｄ，ｎ）は、次のようである。
【０２１６】
【数３５】
0005513592.tif 000056
【０２１７】
又は、
【０２１８】
【数３６】
0005513592.tif 000057
【０２１９】
ここで、関数ｒは、ｒ（ｓ＿ｉｄ，ｎ，Ｚ）＝ｍｏｄ（ｓ＿ｉｄ＋ｎ−１，Ｚ）＋１と定義される。ガロアフィールド基盤の再マッピング／置換関数ＰＧ（ｚ，ｒ，Ｚ）は、前のセクションに定義されている。ＰＢＲＯ（．，.）関数は、導入部に定義されている。
【０２２０】
例えば、３０個の基本シーケンスがセルラーシステムで使用されるか、又はＺ＝３０であると、一例として、ｎ＝０とし、ｓ（ｚ，ｓ＿ｉｄ，ｎ）＝ＰＧ，３（ｚ，ｒ（ｓ＿ｉｄ，０，３０），３０）＝ｍｏｄ（ｚ×ｓ＿ｉｄ，３１）とする。ここで、Ｚ＋１＝３１であり、ＧＦ（３１）は、グラウンドガロアフィールドであるため、前に定義されているＰＧ，３（・，・，・）関数を使用することができることに留意する。
【０２２１】
アップリンク送信で１つのサブフレーム内に幾つかのスロットがあり得る。例えば、３ＧＰＰ ＬＴＥ標準では、アップリンクで各サブフレーム内に２つのスロットがある。
【０２２２】
本発明の原理による第１７の実施形態において、アップリンク通信のために総Ｚ個の基本シーケンスがあると仮定する。Ｚ個の連続スロットの期間に対するスロットレベル基本シーケンスホッピングパターンを提案する。また、与えられたセルに対して、ＢＳ１［ｚ］＝ｚは、Ｚ個の連続スロットの１つの期間内の第１のスロットでの基本シーケンスインデックスとすると、同一のセルでの後続のスロットで使用される基本シーケンスインデックスは、ＢＳｓ＿ｉｄ［ｓ（ｚ，ｓｌ＿ｉｄ，ｎ）］で示される。ここで、ｚ＝１，・・・，Ｚ，ｓ＿ｉｄ＝１，・・・，Ｚであり、ｎは、整数であるパラメータである。ｓ＿ｉｄは、Ｚ個のスロットの期間内のスロットＩＤを示す。
【０２２３】
本発明の原理による第１７の実施形態のサブ実施形態において、擬似ランダム置換関数ｓ（ｚ，ｓｌ＿ｉｄ，ｎ）は、次のようである。
【０２２４】
【数３７】
0005513592.tif 000058
【０２２５】
又は、
【０２２６】
【数３８】
0005513592.tif 000059
【０２２７】
ここで、関数ｒは、ｒ（ｓｌ＿ｉｄ，ｎ，Ｚ）＝ｍｏｄ（ｓｌ＿ｉｄ＋ｎ−１，Ｚ）＋１と定義される。ガロアフィールド基盤の再マッピング／置換関数ＰＧ（ｚ，ｒ，Ｚ）は、前のセクションに定義されている。
【０２２８】
例えば、３０個の基本シーケンスがセルラーシステムで使用されるか、又はＺ＝３０であると、一例として、ｎ＝０とし、ｓ（ｚ，ｓｌ＿ｉｄ，ｎ）＝ＰＧ，３（ｚ，ｒ（ｓｌ＿ｉｄ，０，３０），３０）＝ｍｏｄ（ｚ×ｓｌ＿ｉｄ，３１）とする。ここで、Ｚ＋１＝３１であり、ＧＦ（３１）は、グラウンドガロアフィールドであるため、前に定義されたＰＧ，３（・，・，・）関数を使用することができることに留意する。ＰＢＲＯ（・，・）関数は、導入部に定義されている。
【０２２９】
本発明の原理による第１８の実施形態において、物理アップリンク制御チャネルは、＜表１８＞に示すような多重フォーマットを支援する。フォーマット２ａ及び２ｂは、正常のサイクリックプレフィックスだけのために支援される。
【０２３０】
【表１８】
0005513592.tif 000060
【０２３１】
ＰＵＣＣＨがマッピングされるサブフレームの２個のスロットで２個のリソースブロック内のリソースインデックスは、ｎｓ ｍｏｄ２＝０である場合に、下記の数式（３４）のように与えられ、ｎｓ ｍｏｄ２＝１である場合に、下記の数式（３５）のように与えられる。
【０２３２】
【数３９】
0005513592.tif 000061
【０２３３】
【数４０】
0005513592.tif 000062
【０２３４】
上述した数式において、ｎｓは、スロット番号を示し、
【０２３５】
【数４１】
0005513592.tif 000063
【０２３６】
は、リソースインデックスを示し、
【０２３７】
【数４２】
0005513592.tif 000064
【０２３８】
は、フォーマット１／１ａ／１ｂ及び２／２ａ／２ｂの混合のために使用されるリソースブロックにおけるＰＵＣＣＨフォーマット１／１ａ／１ｂのために使用されるサイクリックシフトの個数を示し、
【０２３９】
【数４３】
0005513592.tif 000065
【０２４０】
である。
【０２４１】
【数４４】
0005513592.tif 000066
【０２４２】
は、上位レイヤーにより設定される量（quantity）を示し、次のように表現される。
【０２４３】
【数４５】
0005513592.tif 000067
【０２４４】
及び
【０２４５】
【数４６】
0005513592.tif 000068
【０２４６】
ＰＵＣＣＨフォーマット２／２ａ／２ｂの送信のために使用されるリソースは、リソースインデックス
【０２４７】
【数４７】
0005513592.tif 000069
【０２４８】
により識別され、サイクリックシフトαは、次の数式（３８）に従って決定される。
【０２４９】
【数４８】
0005513592.tif 000070
【０２５０】
ここで、ｎｓ ｍｏｄ２＝０である場合に、次の数式（３９）を適用し、ｎｓ ｍｏｄ２＝１である場合に、次の数式（４０）を適用する。
【０２５１】
【数４９】
0005513592.tif 000071
【０２５２】
【数５０】
0005513592.tif 000072
【０２５３】
下記の＜表１９＞は、Ｎ＝１８リソースに対して代案的なＯＣ／ＣＳリソース割り当ての一例を示し、これは、参考文献［６］から抜粋した。
【０２５４】
【表１９】
0005513592.tif 000073
【０２５５】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【０２５６】
１１０      送信器チェーン
１１１      データ
１１２      変調器
１１３      シリアル／パラレル変換部
１１４      逆高速フーリエ変換（Inverse Fast Fourier Transform：ＩＦＦＴ）部
１１５      パラレル／シリアル変換部
１１６      ＣＰ挿入部
１１７      送信器（Ｔｘ）フロントエンド処理部
１２０      受信器チェーン
１２１      受信器（Ｒｘ）フロントエンド処理部
１２２      ＣＰ除去部
１２３      シリアル／パラレル変換部
１２４      高速フーリエ変換（ＦＦＴ）部
１２５      パラレル／シリアル変換部
１２６      復調部
【図１】
0005513592.tif 000074
【図２】
0005513592.tif 000075
【図３】
0005513592.tif 000076